(57)【特許請求の範囲】
【請求項１】
警戒エリアに、異常又は障害を検出して警報音と表示により異常警報又は障害警報を出力する警報器を複数配置し、異常又は障害を検出した警報器は警報音と表示により連動元を示す異常警報又は障害警報を出力すると共に、他の警報器に異常信号又は障害信号を送信して警報音と表示により連動先を示す異常警報又は障害警報を出力させる警報システムに於いて、
前記警報器の各々に、
前記連動元を示す障害警報出力中に警報停止操作を検出した場合、自己の連動元を示す警報音を停止すると共に表示を継続し、更に連動先を示す障害警報出力中の警報器に警報停止信号を送信して警報音と表示を停止させる連動元警報停止部と、
前記連動先を示す障害警報出力中に警報停止操作を検出した場合、自己の連動先を示す警報音と表示のみを停止する連動先警報停止部と、
を設けたことを特徴とする警報システム。
【請求項２】
警戒エリアに、異常又は障害を検出して警報音と表示により異常警報又は障害警報を出力する警報器を複数配置し、異常又は障害を検出した警報器は警報音と表示により連動元を示す異常警報又は障害警報を出力すると共に、他の警報器に異常信号又は障害信号を送信して警報音と表示により連動先を示す異常警報又は障害警報を出力させる警報システムに於いて、
前記警報器の各々に、
前記連動元を示す障害警報出力中に警報停止操作を検出した場合、自己の連動元を示す警報音と表示を継続し、更に連動先を示す障害警報出力中の警報器に警報停止信号を送信して警報音と表示を停止させる連動元警報停止部と、
前記連動先を示す障害警報出力中に警報停止操作を検出した場合、自己の連動先を示す警報音と表示を停止し、更に連動元及び連動先を示す障害警報出力中の他の警報器に警報停止信号を送信し、前記連動元を示す障害警報出力中の警報器の警報音と表示を継続させ、前記連動先を示す障害警報出力中の警報器の警報音と表示を停止させる連動先警報停止部と、
を設けたことを特徴とする警報システム。
【請求項３】
警戒エリアに、異常又は障害を検出して警報音と表示により異常警報又は障害警報を出力する警報器を複数配置し、異常又は障害を検出した警報器は警報音と表示により連動元を示す異常警報又は障害警報を出力すると共に、他の警報器に異常信号又は障害信号を送信して警報音と表示により連動先を示す異常警報又は障害警報を出力させる警報システムに於いて、
前記警報器の各々に、
前記連動元を示す障害警報出力中に警報停止操作を検出した場合、自己の連動元を示す警報音を停止すると共に表示を継続し、更に連動先を示す障害警報出力中の警報器に警報停止信号を送信して警報音と表示を停止させる連動元警報停止部と、
前記連動先を示す障害警報出力中に警報停止操作を検出した場合、自己の連動先を示す警報音と表示を停止し、更に連動元及び連動先を示す障害警報出力中の他の警報器に警報停止信号を送信し、前記連動元を示す障害警報出力中の警報器の警報音を停止させると共に表示を継続させ、前記連動先を示す障害警報出力中の警報器の警報音と表示を停止させる連動先警報停止部と、
を設けたことを特徴とする警報システム。
【請求項４】
障害を検出する障害検出部と、
監視エリアの物理的現象を検出して出力するセンサ部と、
警報音と警報表示により異常警報を出力する報知部と、
警報を停止する操作手段を備えた操作部と、
前記障害検出部による障害、前記センサ部による異常の有無、前記操作部による停止操作を含むイベントを検出するイベント検出部と、
前記イベント検出部で検出したイベントを示すイベント信号を他の警報器へ送信する送信処理部と、
他の警報器からのイベント信号を受信する受信処理部と、
前記イベント検出部で異常を検出したときに、前記報知部からの警報音と警報表示により連動元を示す異常警報を出力させると共に、異常を示すイベント信号を他の警報器へ送信させ、一方、他の警報器から異常を示すイベント信号を受信したときに、前記報知部からの警報音と警報表示により連動先を示す異常警報を出力させる異常警報処理部と、
前記イベント検出部で障害を検出したときに、前記報知部からの警報音と警報表示により連動元を示す障害警報を出力させると共に、障害を示すイベント信号を他の警報器へ送信させ、一方、他の警報器から障害を示すイベント信号を受信したときに、前記報知部からの警報音と警報表示により連動先を示す障害警報を出力させる障害警報処理部と、
を設けた警報器に於いて、
前記連動元を示す障害警報出力中に前記操作部による警報停止操作を検出した場合、自己の連動元を示す警報音を停止させると共に警報表示を継続させ、更に、警報停止信号を送信させて、前記連動先を示す障害警報出力中の警報器の警報音と警報表示を停止させる連動元警報停止部と、
前記連動先を示す障害警報出力中に前記操作部による警報停止操作を検出した場合、自己の連動先を示す警報音と表示のみを停止させる連動先警報停止部と、
を設けたことを特徴とする警報器。
【請求項５】
障害を検出する障害検出部と、
監視エリアの物理的現象を検出して出力するセンサ部と、
警報音と警報表示により異常警報を出力する報知部と、
警報を停止する操作手段を備えた操作部と、
前記障害検出部による障害、前記センサ部による異常の有無、前記操作部による停止操作を含むイベントを検出するイベント検出部と、
前記イベント検出部で検出したイベントを示すイベント信号を他の警報器へ送信する送信処理部と、
他の警報器からのイベント信号を受信する受信処理部と、
前記イベント検出部で異常を検出したときに、前記報知部からの警報音と警報表示により連動元を示す異常警報を出力させると共に、異常を示すイベント信号を他の警報器に送信させ、一方、他の警報器から異常を示すイベント信号を受信したときに、前記報知部からの警報音と警報表示により連動先を示す異常警報を出力させる異常警報処理部と、
前記イベント検出部で障害を検出したときに、前記報知部からの警報音と警報表示により連動元を示す障害警報を出力させると共に、障害を示すイベント信号を他の警報器に送信させ、一方、他の警報器から障害を示すイベント信号を受信したときに、前記報知部からの警報音と警報表示により連動先を示す障害警報を出力させる障害警報処理部と、
を設けた警報器に於いて、
前記連動元を示す障害警報出力中に前記操作部による警報停止操作を検出した場合、自己の連動元を示す警報音と警報表示を継続させ、更に、警報停止信号を送信させて、連動先を示す障害警報出力中の警報器の警報音と警報表示を停止させる連動元警報停止部と、
前記連動先を示す障害警報出力中に前記操作部による警報停止操作を検出した場合、自己の連動先を示す警報音と警報表示を停止させ、更に、警報停止信号を送信させて、前記連動元を示す障害警報出力中の警報器の警報音と警報表示を継続させ、前記連動先を示す障害警報出力中の警報器の警報音と警報表示を停止させる連動先警報停止部と、
を設けたことを特徴とする警報器。
【請求項６】
障害を検出する障害検出部と、
監視エリアの物理的現象を検出して出力するセンサ部と、
警報音と警報表示により異常警報を出力する報知部と、
警報を停止する操作手段を備えた操作部と、
前記障害検出部による障害、前記センサ部による異常の有無、前記操作部による停止操作を含むイベントを検出するイベント検出部と、
前記イベント検出部で検出したイベントを示すイベント信号を他の警報器へ送信する送信処理部と、
他の警報器からのイベント信号を受信する受信処理部と、
前記イベント検出部で異常を検出したときに、前記報知部からの警報音と警報表示により連動元を示す異常警報を出力させると共に、異常を示すイベント信号を他の警報器に送信させ、一方、他の警報器から異常を示すイベント信号を受信したときに、前記報知部からの警報音と警報表示により連動先を示す異常警報を出力させる異常警報処理部と、
前記イベント検出部で障害を検出したときに、前記報知部からの警報音と警報表示により連動元を示す障害警報を出力させると共に、障害を示すイベント信号を他の警報器に送信させ、一方、他の警報器から障害を示すイベント信号を受信したときに、前記報知部からの警報音と警報表示により連動先を示す障害警報を出力させる障害警報処理部と、
を設けた警報器に於いて、
前記連動元を示す障害警報出力中に前記操作部による警報停止操作を検出した場合、自己の連動元を示す警報音を停止させると共に警報表示を継続させ、更に、警報停止信号を送信させて、連動先を示す障害警報出力中の警報器の警報音と警報表示を停止させる連動元警報停止部と、
前記連動先を示す障害警報出力中に前記操作部による警報停止操作を検出した場合、自己の連動先を示す警報音と警報表示を停止させ、更に、警報停止信号を送信させて、前記連動元を示す障害警報出力中の警報器の警報音を停止させると共に警報表示を継続させ、前記連動先を示す障害警報出力中の警報器の警報音と警報表示を停止させる連動先警報停止部と、
を設けたことを特徴とする警報器。
【請求項７】
請求項４乃至６のいずれかに記載の警報器に於いて、前記連動元警報停止部は、前記操作部の警報停止操作を検出したときに継続した連動元を示す警報表示を、所定時間経過又は前記操作部の警報停止操作を検出したときに停止することを特徴とする警報器。
【請求項８】
請求項４乃至６のいずれかに記載の警報器に於いて、連動元を示す警報表示と連動先を示す警報表示を異ならせたことを特徴とする警報器。
【請求項９】
請求項４乃至６のいずれかに記載の警報器に於いて、異常を示す警報表示の表示色と障害を示す警報表示の表示色を異ならせたことを特徴とする警報器。
【請求項１０】
請求項４乃至６のいずれかに記載の警報器に於いて、前記異常警報の出力は、連動元を示す警報表示の表示色と連動先を示す警報表示の表示色を異ならせたことを特徴とする警報器。
【請求項１１】
請求項４乃至６のいずれかに記載の警報器に於いて、前記障害警報の出力は、連動元を示す警報表示の表示色と連動先を示す警報表示の表示色を異ならせたことを特徴とする警報器。
【請求項１２】
請求項４乃至６のいずれかに記載の警報器に於いて、前記障害検出部は、所定の時間間隔毎に前記センサ部からの検出信号の平均値を求め、前記平均値が所定の零点レベルを外れたときにセンサ障害と判定することを特徴とする警報器。
【請求項１３】
請求項４乃至６のいずれかに記載の警報器に於いて、自己の動作電源を供給する電池電源を備え、
前記障害検出部は、所定の時間間隔毎に前記電池電源の電源電圧を検出して所定の閾値電圧以下のときにローバッテリー障害を判定し、前記ローバッテリー障害の判定結果か連続して所定回数続いたときにローバッテリー障害を確定することを特徴とする警報器。
【発明の詳細な説明】
【技術分野】
【０００１】
本発明は、火災などの異常および電池電源のローバッテリー障害を検出して警報すると共に他の警報器に信号を送信して警報を連動出力させる警報器及び警報システムに関する。
【背景技術】
【０００２】
従来、住宅における火災を検出して警報する住宅用警報器（以下「住警器」という）が普及しており、近年にあっては、複数の住警器を、無線等で相互に通信させ、１つの住警器の異常情報を他の警報器でも警報できる連動型警報システム向けの住警器が実用化されており、これらの中には電池電源によって動作するものがある。
【０００３】
無線通信を行う連動型の警報システムにあっては、火災を検出した連動元の住警器は、例えば「ウーウー火災警報器が作動しました  確認してください」との音声メッセージを出力し、一方、連動先の住警器では「ウーウー別の火災警報器が作動しました  確認してください」という音声メッセージを出力するようにしている。また、連動元の住警器の表示灯は点灯とし、連動先の住警器の表示灯は点滅とし、表示灯の表示からも連動元か連動先かが区別できるようにしている。
【０００４】
また、連動元と連動先の住警器で警報が行われている場合、住警器に設けている警報停止スイッチを操作すると、操作した住警器の警報を停止することができるようにしている。
【０００５】
更に、従来の住警器にあっては、電池電源の状態を所定の時間間隔毎にチェックして電池電圧が低下し電池切れが近近づいていることを示すローバッテリーや異常を検出するセンサの故障等障害の有無を検出して警報する障害監視機能が設けられている。
【０００６】
電池電源の障害監視は、例えば電池電源の電源電圧を４時間間隔でＣＰＵに読み込んで所定の閾値レベルと比較し、閾値レベルを下回った場合にローバッテリー障害と判定し、このローバッテリー障害が例えば５回連続した場合にローバッテリー障害を確定して、ローバッテリー障害警報を出すようにしている。
【０００７】
無線通信を行う連動型の警報システムにあってはローバッテリー障害警報についても、ある住警器でローバッテリー障害を検出した場合、ローバッテリー障害を検出した連動元の住警器は、例えば「ピッ  電池切れです」との音声メッセージを出力し、一方、連動先の住警器では「ピッ  別の火災警報器が電池切れです」という音声メッセージを出力するようにしている。また、連動元の住警器の表示灯は点灯とし、連動先の住警器の表示灯は点滅とし、表示灯の表示からもローバッテリー障害の連動元か連動先かが区別できるようにしている。
【先行技術文献】
【特許文献】
【０００８】
【特許文献１】特開２００７−０９４７１９号公報
【発明の概要】
【発明が解決しようとする課題】
【０００９】
しかしながら、このような従来の障害について連動警報を行う無線式の住警器にあっては、連動元と連動先の住警器で障害警報が行われた場合に、警報を停止したい場合には、住警器毎に警報停止操作を必要とし、警報停止操作が煩雑になるという問題がある。
【００１０】
この問題を解決するためには、任意の住警器で警報停止操作を行った場合、連動関係にある全ての住警器の障害警報を一斉に停止することも考えられるが、全ての障害警報を停止してしまうと、障害を検出した連動元の警報器がどれか分からず、電池交換や機器交換を必要とする住警器の特定が困難になるという問題がある。
【００１１】
本発明は、例えば電池電源のローバッテリー等の障害を検出して連動元と連動先で行った障害警報の停止操作を容易にすると共に、警報停止を行っても連動元（障害元）が容易に分かるようにした警報器及び警報システムを提供することを目的とする。
【課題を解決するための手段】
【００１２】
（システム）
本発明は警報システムを提供するものであり、第１モード１〜第３モードのいずれかの形態をとる。
【００１３】
本発明の第１モードの形態にあっては、警戒エリアに、異常又は障害を検出して警報音と表示により異常警報又は障害警報を出力する警報器を複数配置し、異常又は障害を検出した警報器は警報音と表示により連動元を示す異常警報又は障害警報を出力すると共に、他の警報器に異常信号又は障害信号を送信して警報音と表示により連動先を示す異常警報又は障害警報を出力させる警報システムに於いて、
警報器の各々に、
連動元を示す障害警報出力中に警報停止操作を検出した場合、自己の連動元を示す警報音を停止すると共に表示を継続させ、更に連動先を示す障害警報出力中の警報器に警報停止信号を送信して警報音と表示を停止させる連動元警報停止部と、
連動先を示す障害警報出力中に警報停止操作を検出した場合、自己の連動先を示す警報音と表示のみを停止する連動先警報停止部と、
を設けたことを特徴とする。
【００１４】
本発明の第２モードの形態にあっては、警戒エリアに、異常又は障害を検出して警報音と表示により異常警報又は障害警報を出力する警報器を複数配置し、異常又は障害を検出した警報器は警報音と表示により連動元を示す異常警報又は障害警報を出力すると共に、他の警報器に異常信号又は障害信号を送信して警報音と表示により連動先を示す異常警報又は障害警報を出力させる警報システムに於いて、
警報器の各々に、
連動元を示す障害警報出力中に警報停止操作を検出した場合、自己の連動元を示す警報音と表示を継続させ、更に連動先を示す障害警報出力中の警報器に警報停止信号を送信して警報音と表示を停止させる連動元警報停止部と、
連動先を示す障害警報出力中に警報停止操作を検出した場合、自己の連動先を示す警報音と表示を停止し、更に連動元及び連動先を示す障害警報出力中の他の警報器に警報停止信号を送信し、連動元を示す障害警報出力中の警報器の警報音と表示を継続させ、連動先を示す障害警報出力中の警報器の警報音と表示を停止させる連動先警報停止部と、
を設けたことを特徴とする警報器。
【００１５】
本発明の第３モードの形態にあっては、警戒エリアに、異常又は障害を検出して警報音と表示により異常警報又は障害警報を出力する警報器を複数配置し、異常又は障害を検出した警報器は警報音と表示により連動元を示す異常警報又は障害警報を出力すると共に、他の警報器に異常信号又は障害信号を送信して警報音と表示により連動先を示す異常警報又は障害警報を出力させる警報システムに於いて、
警報器の各々に、
連動元を示す障害警報出力中に警報停止操作を検出した場合、自己の連動元を示す警報音を停止すると共に表示を継続させ、更に連動先を示す障害警報出力中の警報器に警報停止信号を送信して警報音と表示を停止させる連動元警報停止部と、
連動先を示す障害警報出力中に警報停止操作を検出した場合、自己の連動先を示す警報音と表示を停止し、更に連動元及び連動先を示す障害警報出力中の他の警報器に警報停止信号を送信し、連動元を示す障害警報出力中の警報器の警報音を停止させると共に表示を継続させ、連動先を示す障害警報出力中の警報器の警報音と表示を停止させる連動先警報停止部と、
を設けたことを特徴とする。
【００１６】
（警報器）
本発明は警報器を提供するものであり、第１モード１〜第３モードのいずれかの形態をとる。
【００１７】
本発明の第１モードの形態にあっては、
障害を検出する障害検出部と、
監視エリアの物理的現象を検出して出力するセンサ部と、
警報音と警報表示により異常警報を出力する報知部と、
警報を停止する操作手段を備えた操作部と、
障害検出部による障害、センサ部による異常の有無、操作部による停止操作を含むイベントを検出するイベント検出部と、
イベント検出部で検出したイベントを示すイベント信号を他の警報器へ送信する送信処理部と、
他の警報器からのイベント信号を受信する受信処理部と、
イベント検出部で異常を検出したときに、報知部からの警報音と警報表示により連動元を示す異常警報を出力させると共に、異常を示すイベント信号を他の警報器へ送信させ、一方、他の警報器から異常を示すイベント信号を受信したときに、報知部からの警報音と警報表示により連動先を示す異常警報を出力させる異常警報処理部と、
イベント検出部で障害を検出したときに、報知部からの警報音と警報表示により連動元を示す障害警報を出力させると共に、障害を示すイベント信号を他の警報器に送信させ、一方、他の警報器から障害を示すイベント信号を受信したときに、報知部からの警報音と警報表示により連動先を示す障害警報を出力させる障害警報処理部と、
を設けた警報器に於いて、
連動元を示す障害警報出力中に操作部による警報停止操作を検出した場合、自己の連動元を示す警報音を停止させると共に警報表示を継続させ、、警報停止信号を送信させて、連動先を示す障害警報出力中の警報器の警報音と警報表示を停止させる連動元警報停止部と、
連動先を示す障害警報出力中に操作部による警報停止操作を検出した場合、自己の連動先を示す警報音と表示のみを停止する連動先警報停止部と、
設けたことを特徴とする。
【００１８】
本発明の第２モードの形態にあっては、
障害を検出する障害検出部と、
監視エリアの物理的現象を検出して出力するセンサ部と、
警報音と警報表示により異常警報を出力する報知部と、
警報を停止する操作手段を備えた操作部と、
障害検出部による障害、センサ部による異常の有無、操作部による停止操作を含むイベントを検出するイベント検出部と、
イベント検出部で検出したイベントを示すイベント信号を他の警報器へ送信する送信処理部と、
他の警報器からのイベント信号を受信する受信処理部と、
イベント検出部で異常を検出したときに、報知部からの警報音と警報表示により連動元を示す異常警報を出力させると共に、異常を示すイベント信号を他の警報器に送信させ、一方、他の警報器から異常を示すイベント信号を受信したときに、報知部からの警報音と警報表示により連動先を示す異常警報を出力させる異常警報処理部と、
イベント検出部で障害を検出したときに、報知部からの警報音と警報表示により連動元を示す障害警報を出力させると共に、障害を示すイベント信号を他の警報器に送信させ、一方、他の警報器から障害を示すイベント信号を受信したときに、報知部からの警報音と警報表示により連動先を示す障害警報を出力させる障害警報処理部と、
を設けた警報器に於いて、
連動元を示す障害警報出力中に操作部による警報停止操作を検出した場合、自己の連動元を示す警報音と警報表示を継続させ、更に、警報停止信号を送信させて、連動先を示す障害警報出力中の警報器の警報音と警報表示を停止させる連動元警報停止部と、
連動先を示す障害警報出力中に操作部による警報停止操作を検出した場合、自己の連動先を示す警報音と警報表示を停止させ、更に、警報停止信号を送信させて、連動元を示す障害警報出力中の警報器の警報音と警報表示を継続させ、連動先を示す障害警報出力中の警報器の警報音と警報表示を停止させる連動先警報停止部と、
を設けたことを特徴とする。
【００１９】
本発明の第３モードの形態にあっては、
障害を検出する障害検出部と、
監視エリアの物理的現象を検出して出力するセンサ部と、
警報音と警報表示により異常警報を出力する報知部と、
警報を停止する操作手段を備えた操作部と、
障害検出部による障害、センサ部による異常の有無、操作部による停止操作を含むイベントを検出するイベント検出部と、
イベント検出部で検出したイベントを示すイベント信号を他の警報器へ送信する送信処理部と、
他の警報器からのイベント信号を受信する受信処理部と、
イベント検出部で異常を検出したときに、報知部からの警報音と警報表示により連動元を示す異常警報を出力させると共に、異常を示すイベント信号を他の警報器に送信させ、一方、他の警報器から異常を示すイベント信号を受信したときに、報知部からの警報音と警報表示により連動先を示す異常警報を出力させる異常警報処理部と、
イベント検出部で障害を検出したときに、報知部からの警報音と警報表示により連動元を示す障害警報を出力させると共に、障害を示すイベント信号を他の警報器に送信させ、一方、他の警報器から障害を示すイベント信号を受信したときに、報知部からの警報音と警報表示により連動先を示す障害警報を出力させる障害警報処理部と、
を設けた警報器に於いて、
連動元を示す障害警報出力中に操作部による警報停止操作を検出した場合、自己の連動元を示す警報音を停止させると共に警報表示を継続させ、更に、警報停止信号を送信させて、連動先を示す障害警報出力中の警報器の警報音と警報表示を停止させる連動元警報停止部と、
連動先を示す障害警報出力中に操作部による警報停止操作を検出した場合、自己の連動先を示す警報音と警報表示を停止させ、更に、警報停止信号を送信させて、連動元を示す障害警報出力中の警報器の警報音を停止させると共に警報表示を継続させ、連動先を示す障害警報出力中の警報器の警報音と警報表示を停止させる連動先警報停止部と、
を設けたことを特徴とする。
【００２０】
ここで、連動元警報停止部は、操作部の警報停止操作を検出したときに継続した連動元を示す警報表示を、所定時間経過又は操作部の警報停止操作を検出した時に停止する。
【００２１】
本発明の警報器は、連動元を示す警報表示と連動先を示す警報表示を異ならせる。また、異常を示す警報表示の表示色と障害を示す警報表示の表示色を異ならせるようにしても良い。このようにすれば、警報中でなく障害報知中であることが、表示のうえでも識別出来る。
【００２２】
また、異常警報の出力は、連動元を示す警報表示の表示色と連動先を示す警報表示の表示色を異ならせる。
【００２３】
さらに、障害警報の出力は、連動元を示す警報表示の表示色と連動先を示す警報表示の表示色を異ならせる。このようにすれば、警報中か障害報知中か、そして連動元か連動先かを表示のうえで詳細に識別することが出来る。
【００２４】
障害検出部は、所定の時間間隔毎にセンサ部からの検出信号の平均値を求め、平均値が所定の零点レベルを外れたときにセンサ障害と判定する。
【００２５】
更に、自己の動作電源を供給する電池電源を備え、障害検出部は、所定の時間間隔毎に電池電源の電源電圧を検出して所定の閾値電圧以下のときにローバッテリー障害を判定し、ローバッテリー障害の判定結果か連続して所定回数続いたときにローバッテリー障害を確定する。
【発明の効果】
【００２６】
（第１モード）
本発明の第１モードによれば、センサ障害やローバッテリー障害などの障害を検出して、連動により複数の警報器で連動警報が行われた場合、連動元の警報器で警報停止操作を行うと、他の警報器で行っている警報音と警報表示による連動先を示す警報が全て停止し、一方、連動元の警報器にあっては、警報音は停止するが警報表示は少なくとも所定期間継続され、これによって警報器毎での警報停止操作を不要とし、また警報停止操作とその連動で全て警報停止が行われたときに、連動元の警報器については、警報音は停止しても警報表示は少なくとも所定期間継続されているため、障害を起こした警報器を容易に特定して、例えば電池交換や住警器そのものの交換など、発生した障害への処置を行うことができる。
【００２７】
（第２モード）
本発明の第２モードによれば、センサ障害やローバッテリー障害などの障害を検出して、連動により複数の警報器で連動警報が行われた場合、連動警報を出している任意の警報器で警報停止操作を行うと、連動元の警報音と警報表示は少なくとも所定期間継続し、連動先を示す警報音を全て停止し、これによって警報器毎での警報停止操作を不要とし、また警報停止操作で連動先の警報音が停止しても、連動元の警報器については、警報音及び警報表示は少なくとも所定期間継続されているため、障害を起こした警報器を容易に特定して電池交換や住警器そのものの交換などを行うことができる。
【００２８】
また任意の警報器での警報停止操作によって連動先の警報音は全て停止するが、連動先の警報表示を少なくとも所定期間継続させておくことで、たとえば連動元の警報音が聞こえない場所に設置された連動先の警報器において、連動元の警報器が引き続き障害警報中であることを知ることができる。
【００２９】
（第３モード）
本発明の第３モードによれば、センサ障害やローバッテリー障害などの障害を検出して、連動により複数の警報器で連動警報が行われた場合、警報を行っている任意の警報器で警報停止操作を行うと、連動元及び連動先の警報器で行っている警報音が全て停止し、一方、連動元の警報器にあっては、警報音は停止するが警報表示は継続され、これによって警報器毎での警報停止操作を不要とし、また警報停止操作で一斉に警報停止が行われても、連動元の警報器については、警報音は停止しても警報表示は継続されているため、障害を起こした警報器を容易に特定して、例えば電池交換や住警器そのものの交換など、発生した障害への処置を行うことができる。
【００３０】
（連動先の停止制御）
このように第１モード、第２モード、第３モードの障害警報停止は、連動元として警報中の警報停止処理は少なくとも表示を継続する点で基本的に同じであるが、連動先として警報中の警報停止処理が異なる。
【００３１】
即ち第１モードでは、連動先としての警報中に自己の警報停止操作があったら警報音を停止して表示は継続または所定期間継続または障害復旧を示すイベント信号を受信するまで継続する。そして、他の警報器に対して警報停止を示すイベント信号を送信しない。これによって連動先として警報中の警報器については、その警報停止操作で警報音を停止することができ、それ以外の警報器の警報音と表示を継続できる。
【００３２】
これに対して第２モードでは、連動先としての警報中に自己の警報停止操作があったら警報音を停止して表示は継続または所定期間継続または復旧を示すイベント信号を受信するまで継続する。そして、他の警報器に対して警報停止を示すイベント信号を送信する。これによって連動先としての警報中の警報器については、その警報停止操作で警報音は停止するが表示を継続でき、警報停止操作を行った連動先の警報器を識別することができる。
【００３３】
そして第３モードでは、連動先としての警報中に自己の警報停止操作があったら警報音と警報表示を停止して、他の警報器に対して警報停止を示すイベント信号を送信する。これによって連動先としての警報中の警報器についても、連動元として警報中の警報器で警報停止操作を行ったと同じ警報停止制御ができる。
【００３４】
なお本明細書に於いて、特に断りのない場合「警報」は「障害警報」を指し「復旧」は「障害復旧」を指す。また「警報表示」とは「警報に伴う表示」をいう。
【図面の簡単な説明】
【００３５】
【図１】本発明による無線式の住警器の外観を示した説明図
【図２】住宅に対する本発明の警報システムの設置状態を示した説明図
【図３】第１モード警報停止処理による連動元を停止操作した場合の停止前後の連動警報を示した説明図
【図４】第１モード警報停止処理による連動先を停止操作した場合の停止前後の連動警報を示した説明図
【図５】第２モード警報停止処理による連動元を停止操作した場合の停止前後の連動警報を示した説明図
【図６】第２モード警報停止処理による連動先を停止操作した場合の停止前後の連動警報を示した説明図
【図７】第３モード警報停止処理による連動元を停止操作した場合の停止前後の連動警報を示した説明図
【図８】第３モード警報停止処理による連動先を停止操作した場合の停止前後の連動警報を示した説明図
【図９】図２の警報システムに設けた火災を検出して警報する住警器の実施形態を示したブロック図
【図１０】本実施形態で使用するイベント信号のフォーマットを示した説明図
【図１１】図９の住警器による基本的な処理を示したフローチャート
【図１２】図１１のステップＳ２における火災監視処理を示したフローチャート
【図１３】図７のステップＳ４における障害監視処理として第１モード警報停止処理を適用した場合の一例を示したフローチャート
【図１４】図７のステップＳ４における障害監視処理として第２モード警報停止処理を適用した場合の一例を示したフローチャート
【図１５】図７のステップＳ４における障害監視処理として第３モード警報停止処理を適用した場合の一例を示したフローチャート
【図１６】連動元と連動先の表示色を異ならせた無線式住警器の実施形態を示した説明図
【図１７】図１６の実施形態を対象とした第１モード警報停止処理による連動元を停止操作した場合の停止前後の連動警報を示した説明図
【図１８】図１６の実施形態を対象とした第１モード警報停止処理による連動先を停止操作した場合の停止前後の連動警報を示した説明図
【図１９】図１６の実施形態を対象とした第２モード警報停止処理による連動元を停止操作した場合の停止前後の連動警報を示した説明図
【図２０】図１６の実施形態を対象とした第２モード警報停止処理による連動先を停止操作した場合の停止前後の連動警報を示した説明図
【図２１】図１６の実施形態を対象とした第３モード警報停止処理による連動元を停止操作した場合の停止前後の連動警報を示した説明図
【図２２】図１６の実施形態を対象とした第３モード警報停止処理による連動先を停止操作した場合の停止前後の連動警報を示した説明図
【発明を実施するための形態】
【００３６】
図１は本発明による無線式の住警器（住宅用火災警報器）の外観を示した説明図であり、図１（Ａ）に正面図を、図１（Ｂ）に側面図を示している。
【００３７】
図１において、本実施形態の住警器１０の筐体はカバー１２と本体１４で構成され、この内部に各種機能部品が内蔵されている。カバー１２の中央には、周囲に煙流入口を開口し、その内部には検煙部１６が配置され、火災による煙が所定濃度に達したときに火災を検出するようにしている。
【００３８】
カバー１２に設けた検煙部１６の左下側には音響穴１８が設けられ、この背後にブザーやスピーカを内蔵し、音声合成回路や音声アンプを介して警報音や音声メッセージを出力できるようにしている。検煙部１６の下側には警報停止スイッチ２０が設けられている。警報停止スイッチ２０は住警器の機能点検を指示する点検スイッチとしての機能を兼ねている。たとえば、火災警報時に警報停止スイッチ２０が操作されると警報を停止し、通常状態で警報停止スイッチ２０が操作されると所定の機能点検を実施して結果を報知する。
【００３９】
警報停止スイッチ２０は、半透明部材で形成されたスイッチカバーと、スイッチカバーの内部に配置されたタクトスイッチ（図示せず）とで構成されている。スイッチカバー内部のタクトスイッチ近傍には、点線で示すように警報表示を行うＬＥＤ２２が配置されており、ＬＥＤ２２が点灯すると、警報停止スイッチ２０のスイッチカバーの部分を透過してＬＥＤ２２の点灯状態が外部から分かるようにしている。
【００４０】
また本体１４の裏側上部には取付フック１５が設けられており、例えば設置する部屋の壁にビスなどをねじ込み、この取付フック１５をビスに通すことで、壁面に住警器１０を設置することができる。
【００４１】
なお図１の住警器１０にあっては、検煙部１６を備えた火災による煙を検出する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異常を検出する各種の警報器、これらを組み合わせて成る警報器についても、本発明の対象に含まれる。
【００４２】
図２は住宅に対する本実施形態の警報システムの設置状態を示した説明図である。図２の例にあっては、住宅２４に設けられている台所、居間、主寝室、子供部屋のそれぞれに本実施形態の火災を検出して警報する住警器１０−１〜１０−４が設置され、更に屋外に建てられたガレージ２６にも住警器１０−５が設置されている。
【００４３】
住警器１０−１〜１０−５は、イベント信号を無線により相互に送受信する機能を備え、住宅全体の火災監視を行っている。
【００４４】
いま住宅２４の子供部屋で万一、火災が発生したとすると、住警器１０−４が火災を検出して火災警報（異常警報）を開始する。この火災を検出して火災警報を開始することを、住警器における「発報」という。住警器１０−４が発報すると、住警器１０−４は連動元として機能し、連動先となる他の住警器１０−１〜１０−３，１０−５に対し、火災を示すイベント信号を無線により送信する。他の住警器１０−１〜１０−３，１０−５、連動元の住警器１０−４からの火災を示すイベント信号を受信した場合に、警報音と警報表示により連動先としての火災警報動作を行う。
【００４５】
ここで連動元となった住警器１０−４の警報音としては、例えば音声メッセージにより「ウーウー  火災警報器が作動しました  確認してください」を出力する。一方、連動先の住警器１０−１〜１０−３，１０−５にあっては、「ウーウー  別の火災警報器が作動しました  確認してください」といった音声メッセージを出力する。
【００４６】
また連動元となった住警器１０−４の火災警報に伴う表示としては、例えばＬＥＤ２２を点灯させる。一方、連動先の住警器１０−１〜１０−３，１０−５にあっては、ＬＥＤ２２を点滅させる。これによって、連動元警報と連動先警報におけるＬＥＤ５０による警報表示を区別できるようにしている。
【００４７】
なお、連動元のＬＥＤ２２を点滅とし、連動先のＬＥＤ２２を明滅としても良いし、連動元警報と連動先警報のいずれについても、同じＬＥＤ２２の明滅または点滅、点灯表示であっても良い。
【００４８】
住警器１０−１〜１０−５が火災の警報を出している状態で、警報停止スイッチ２０を操作すると、警報音及び警報表示の停止処理が行われる。
【００４９】
また住警器１０−１〜１０−５は、センサ障害や電池の電池電圧が低下してバッテリー切れに近付くローバッテリー障害を監視している。
【００５０】
例えば住警器１０−１でセンサ障害を検出した場合は、連動元を示すセンサ障害の警報音としてスピーカから「ピッ、故障です」を所定回数連続出力し、その後は一定時間ごとに「ピッ、故障です」を所定回数出力する処理を繰り返す。またセンサ障害を検出した状態で警報停止スイッチ２０による点検操作を検出すると、「ピッ、故障です  販売店に連絡して下さい」を１回出力する。また連動元を示す障害警報音に同期してＬＥＤ２２の点灯、点滅、明滅による表示を行う。
【００５１】
住警器１０−１で検出されたセンサ障害は、例えば連動元でセンサ障害警報を出力する毎にイベント信号により他の住警器１０−２〜１０−５に送られ、連動先を示すセンサ障害の警報音としてスピーカから「ピッ  別の警報器が故障です」を出力する。また連動先を示す警報音に同期して連動元の駆動とは異なるＬＥＤ２２の点灯、点滅、明滅による表示を行う。
【００５２】
また住警器１０−１で電池のローバッテリー障害を検出した場合は、連動元を示すローバッテリー障害の警報音としてスピーカから「ピッ、電池切れです」を所定回数連続出力し、その後は一定時間ごとに「ピッ、電池切れです」を所定回数出力する処理を繰り返す。また電池切れを検出した状態で警報停止スイッチ２０による点検操作を検出すると、「ピッ、電池切れです  電池を交換して下さい」を１回出力する。また連動元を示すローバッテリー障害の警報音に同期してＬＥＤ２２の点灯、点滅、明滅による表示を行う。
【００５３】
住警器１０−１で検出されたローバッテリー障害は、例えば連動元でローバッテリー障害警報を出す毎にイベント信号により他の住警器１０−２〜１０−５に送られ、連動先を示すローバッテリー障害の警報音としてスピーカから「ピッ  別の警報器が電池切です」を出力する。
【００５４】
住警器１０−１〜１０−５が障害警報を出している状態で、警報停止スイッチ２０を操作すると、警報音及び警報表示の停止処理が行われる。
【００５５】
本発明の警報停止処理には、第１モード停止処理、第２モード停止処理、及び第３モード停止処理がある。各モード停止処理は、連動元で停止操作を行うか、連動先で停止操作を行うかで停止処理の内容が異なっている。第１モード停止処理、第２モード停止処理、及び第３モード停止処理を簡単にまとめると次のようになる。
【００５６】
（１）第１モード停止処理
連動元で障害警報の停止操作をした場合、連動元を示す警報音を停止するが表示を継続さし、更に連動先に警報停止信号を送信して警報音と表示を停止させる。
【００５７】
連動先で障害警報の停止操作をした場合、自己の連動先を示す警報音と表示のみを停止するが、他の住警器に警報停止信号は送信せず、障害警報を維持させる。
【００５８】
（２）第２モード停止処理
連動元で障害警報の停止操作をした場合、自己の連動元を示す警報音と表示を継続し、連動先に警報停止信号を送信して警報音と表示を停止させる。
【００５９】
連動先で障害警報の停止操作をした場合、自己の連動先を示す警報音と表示を停止し、他の住警器に警報停止信号を送信し、連動元については警報音と表示を継続させ、連動先については警報音と表示を停止させる。
【００６０】
（３）第３モード停止処理
連動元で障害警報の停止操作をした場合、自己の連動元を示す警報音を停止するが表示は継続し、更に連動先に警報停止信号を送信して警報音と表示を停止させる。
【００６１】
連動先で障害警報の停止操作をした場合、自己の連動先を示す警報音と表示を停止し、他の住警器に警報停止信号を送信し、連動元は警報音を停止させると共に表示を継続させ、連動先は警報音と表示を停止させる。
【００６２】
図３は第１モード警報停止処理における障害警報に対し連動元で停止操作を行った前後の警報制御を示している。図３（Ａ）は警報停止前であり、連動関係にある住警器１０−１〜１０−５の中の住警器１０−１が例えばローバッテリー障害を検出し、住警器１０−１が警報音「電池切れです」とＬＥＤ２２のたとえば点灯（第１の表示）による警報表示により連動元を示す障害警報を行い、残りの住警器１０−２〜１０−５が警報音「他の警報器が電池切れです」とＬＥＤ２２の例えば点滅（第２の表示）による警報表示により連動先を示す障害警報を行っている。
【００６３】
この障害警報の連動状態で、矢印Ａで示すように、連動元の住警器１０−１に設けている警報停止スイッチ２０を操作すると、図３（Ｂ）に示すように、警報停止操作を行った連動元の住警器１０−１は連動元を示す警報音は停止するが、連動元を示すＬＥＤ２２の点灯（第１の表示）による警報表示は少なくとも所定期間継続するようにしている。
【００６４】
また連動元の住警器１０−１は警報停止操作に伴い警報停止を示すイベント信号を連動先の住警器１０−２〜１０−５に送信する。このため連動先の住警器１０−２〜１０−５は連動先を示す障害の警報音とＬＥＤ２２の点滅による警報表示は停止する。
【００６５】
これによって障害の連動警報が行われた場合、連動先の住警器１０−２〜１０−５の設置場所に出向いて警報停止操作を行わなくとも、連動元の住警器１０−１の警報停止操作で連動先の警報を停止することができ、停止操作が簡単且つ容易にできる。
【００６６】
また、連動元の住警器１０−１における警報停止操作で警報音が全て停止しても、連動元の警報器１０−１におけるＬＥＤ２２のたとえば点灯による警報表示は少なくとも所定期間継続され、ローバッテリー障害を起こしている住警器の特定が簡単且つ確実にできる。
【００６７】
警報停止後に継続している連動元の住警器１０−１のＬＥＤ２２による警報表示は、タイマ設定で決まる所定時間経過後に停止させるか、または、再度、連動元の住警器１０−１で警報停止操作を行ったときに停止する。
【００６８】
図４は第１モード警報停止処理における障害警報に対し連動先で停止操作を行った前後の警報制御を示している。図４（Ａ）は警報停止前であり、住警器１０−１が例えばローバッテリー障害を検出して警報音「電池切れです」とＬＥＤ２２のたとえば点灯（第１の表示）による警報表示により連動元を示す障害警報を行い、残りの住警器１０−２〜１０−５が警報音「他の警報器が電池切れです」とＬＥＤ２２の例えば点滅（第２の表示）による警報表示により連動先を示す障害警報を行っている。
【００６９】
この障害警報の連動状態で、矢印Ｂで示すように、連動先の住警器１０−２に設けている警報停止スイッチ２０を操作すると、図４（Ｂ）に示すように、警報停止操作を行った連動先の住警器１０−２は連動先を示す警報音と表示は停止するが、他の住警器１０−１，１０−３〜１０−５に対する警報停止のイベント信号は送信しないため、警報音と表示をそのまま継続している。
【００７０】
このように第１モードでは、連動先での障害警報の停止操作は、停止操作を行った住警器のみの警報音と表示を停止するだけとなる。
【００７１】
図５は第２モード警報停止処理における障害警報に対し連動元で停止操作を行った前後の警報制御を示している。図５（Ａ）は警報停止前であり、連動関係にある住警器１０−１〜１０−５の中の住警器１０−１が例えばローバッテリー障害を検出し、住警器１０−１が警報音「電池切れです」とＬＥＤ２２のたとえば点灯（第１の表示）による警報表示により連動元を示す障害警報を行い、残りの住警器１０−２〜１０−５が警報音「他の警報器が電池切れです」とＬＥＤ２２の例えば点滅（第２の表示）による警報表示により連動先を示す障害警報を行っている。
【００７２】
この障害警報の連動状態で、矢印Ａで示すように、連動元の住警器１０−１に設けている警報停止スイッチ２０を操作すると、図５（Ｂ）に示すように、警報停止操作を行った連動元の住警器１０−１は連動元を示す警報音は停止するが、連動元を示すＬＥＤ２２の点灯（第１の表示）による警報表示は少なくとも所定期間継続するようにしている。
【００７３】
また連動元の住警器１０−１は警報停止操作に伴い警報停止を示すイベント信号を連動先の住警器１０−２〜１０−５に送信する。このため連動先の住警器１０−２〜１０−５は連動先を示す障害の警報音とＬＥＤ２２の点滅による警報表示は停止する。
【００７４】
図６は第２モード警報停止処理における障害警報に対し連動先で停止操作を行った前後の警報制御を示している。図６（Ａ）は警報停止前であり、住警器１０−１が例えばローバッテリー障害を検出して警報音「電池切れです」とＬＥＤ２２のたとえば点灯（第１の表示）による警報表示により連動元を示す障害警報を行い、残りの住警器１０−２〜１０−５が警報音「他の警報器が電池切れです」とＬＥＤ２２の例えば点滅（第２の表示）による警報表示により連動先を示す障害警報を行っている。
【００７５】
この障害警報の連動状態で、矢印Ｂで示すように、連動先の住警器１０−２に設けている警報停止スイッチ２０を操作すると、図６（Ｂ）に示すように、警報停止操作を行った連動先の住警器１０−２は連動先を示す警報音と表示は停止し、他の住警器１０−１，１０−３〜１０−５に対し警報停止のイベント信号を送信する。このため連動先の住警器１０−３〜１０−５は警報音と表示を停止するが、連動元の住警器１０−１は警報音と連動元を示すＬＥＤ２２の点灯（第１の表示）による警報表示は少なくとも所定期間継続する。
【００７６】
これによって連動警報が行われた場合、住警器１０−１〜１０−５の設置場所に出向いて警報停止操作を行わなくとも、住警器１０−１〜１０−５の内の任意の住警器の警報停止操作で連動元の警報音と警報表示は停止せず、連動先の警報音と警報表示を全て停止することができ、停止操作が簡単且つ容易にできる。
【００７７】
また、任意の住警器で警報停止操作を行っても、連動元の警報器１０−１における警報音とＬＥＤ２２のたとえば点灯による警報表示は継続され、連動元から離れた場所に設置されている連動先警報器でも、依然として連動元が障害警報中である旨を知ることが出来、障害を起こしている住警器の特定を簡単に特定して電池交換や住警器そのものの交換などの対応をとることができる。
【００７８】
警報停止後に継続している連動元の住警器１０−１のＬＥＤ２２による警報表示は、タイマ設定で決まる所定時間経過、又は警報停止操作を行ったときに停止する。
【００７９】
この場合、連動元の警報音が継続している間は、連動先の表示は停止しないようにすることも出来る。この警報停止操作時に残す連動先の警報表示としては、ＬＥＤ２２の点滅以外に、連動元と同様にＬＥＤ２２の点灯としても良いし、明滅としてもよい。
【００８０】
また、ＬＥＤ２２の点滅による警報表示は周期を異ならせることで各表示の意味を区別するようにしても良く、周期等の異なる点滅表示の組み合わせによっても、連動元や連動先の区別、また警報停止操作前後の区別が出来るようになる。明滅についても同様に適用出来る。
【００８１】
図７は第３モード警報停止処理における障害警報に対し連動元で停止操作を行った前後の警報制御を示している。図７（Ａ）は警報停止前であり、住警器１０−１が例えばローバッテリー障害を検出して警報音「電池切れです」とＬＥＤ２２のたとえば点灯（第１の表示）による警報表示により連動元を示す障害警報を行い、残りの住警器１０−２〜１０−５が警報音「他の警報器が電池切れです」とＬＥＤ２２の例えば点滅（第２の表示）による警報表示により連動先を示す障害警報を行っている。
【００８２】
この障害警報の連動状態で、矢印Ａで示すように、連動元の住警器１０−１に設けている警報停止スイッチ２０を操作すると、図７（Ｂ）に示すように、警報停止操作を行った連動元の住警器１０−１は連動元を示す警報音は停止するが、連動元を示すＬＥＤ２２の点灯（第１の表示）による警報表示は少なくとも所定期間継続するようにしている。
【００８３】
また連動元の住警器１０−１は警報停止操作に伴い警報停止を示すイベント信号を連動先の住警器１０−２〜１０−５に送信する。このため連動先の住警器１０−２〜１０−５は連動先を示す障害の警報音とＬＥＤ２２の点滅による警報表示を停止する。
【００８４】
図８は第３モード警報停止処理における障害警報に対し連動先で停止操作を行った前後の警報制御を示している。図８（Ａ）は警報停止前であり、住警器１０−１が例えばローバッテリー障害を検出して警報音「電池切れです」とＬＥＤ２２のたとえば点灯（第１の表示）による警報表示により連動元を示す障害警報を行い、残りの住警器１０−２〜１０−５が警報音「他の警報器が電池切れです」とＬＥＤ２２の例えば点滅（第２の表示）による警報表示により連動先を示す障害警報を行っている。
【００８５】
この障害警報の連動状態で、矢印Ｂで示すように、連動先の住警器１０−２に設けている警報停止スイッチ２０を操作すると、図８（Ｂ）に示すように、警報停止操作を行った連動先の住警器１０−２は連動先を示す警報音と表示は停止し、他の住警器１０−１，１０−３〜１０−５に対し警報停止のイベント信号を送信する。このため連動先の住警器１０−３〜１０−５は警報音と表示を停止する。また連動元の住警器１０−１は警報音を停止し、連動元を示すＬＥＤ２２の点灯（第１の表示）による警報表示は少なくとも所定期間継続する。
【００８６】
このように第３モード停止処理では、連動警報が行われた場合、住警器１０−１〜１０−５それぞれの設置場所に出向いて警報停止操作を行わなくとも、住警器１０−１〜１０−５の内の任意の住警器の警報停止操作で連動元と連動先の警報音を停止し、連動元の警報表示はそのままで、連動先の警報表示を全て停止することができ、停止操作が簡単且つ容易にできる。
【００８７】
また、任意の住警器警報停止操作を行っても、連動元の警報器１０−１におけるＬＥＤ２２のたとえば点灯による警報表示は継続され、障害を起こしている住警器の特定を簡単に特定して電池交換や住警器そのものの交換などの対応をとることができる。
【００８８】
警報停止後に継続している連動元の住警器１０−１のＬＥＤ２２による警報表示は、タイマ設定で決まる所定時間経過、又は警報停止操作を検出したときに停止する。
【００８９】
第１モード、第２モード、第３モードの警報停止処理は、連動元として警報中の警報停止処理は、少なくとも表示を継続させる点で基本的に同じであるが、連動先として警報中の警報停止処理が異なる。
【００９０】
即ち第１モードでは、連動先としての警報中に自己の警報停止操作があったら警報音と表示を停止して、他の警報器に対して警報停止を示すイベント信号を送信しない。
【００９１】
これに対して第２モードでは、連動先としての警報中に自己の警報停止操作があったら警報音と表示を停止して、他の警報器に対して警報停止を示すイベント信号を送信する。
【００９２】
そして第３モードでは、連動先としての警報中に自己の警報停止操作があったら警報音と警報表示を停止して、他の警報器に対して警報停止を示すイベント信号を送信する。
【００９３】
なお、第１〜第３モードの何れに於いても、連動元の障害状態が解消して障害復旧した場合には、警報停止操作後に継続させている各住警器の警報音や警報表示を停止するようにしても良い。
【００９４】
図９は図２の警報システムに設けた住警器の実施形態を示したブロック図であり、図２に示した５台の住警器１０−１〜１０−５につき、その内の住警器１０−１について回路構成を詳細に示している。他の住警器１０−２〜１０−５についても同様の構成となる。
【００９５】
住警器１０−１と他の住警器１０−２〜１０−５を結ぶ矢印はそれぞれが相互に通信することを示しているが、たとえば住警器１０−２と住警器１０−３なども相互に通信させるようにしている。もちろん、住警器１０−１をシステムの親機として、図６の矢印の経路でのみ通信するようにしたシステムでも、本発明を適用することが出来る。
【００９６】
住警器１０−１はワンチップＣＰＵとして知られたプロセッサ２８を備え、プロセッサ２８に対してはアンテナ３１を備えた無線通信部３０、記録回路部（メモリ）３２、センサ部３４、報知部３６、操作部３８及び電池電源４０を設けている。
【００９７】
無線通信部３０には送信回路４２と受信回路４４が設けられ、他の住警器１０−２〜１０−５との間でイベント信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００９８】
もちろん無線通信部３０としては、日本国内以外の場所については、その地域の割当無線局の標準規格に準拠した内容を持つことになる。
【００９９】
記憶部としてのメモリ３２には、イベント信号の順番を示す連続番号である連番４８、各住警器を特定するＩＤ（識別子）となる送信元符号５０及び図２のように住宅に設置した住警器１０−１〜１０−５で連動警報を行う連動グループを構成するためのグループ符号５２が格納されている。
【０１００】
連番４８は警報器間の通信に於いてイベント信号の中継処理等を管理するためのものであるが、本発明に直接関係しないので詳細な説明を省略する。
【０１０１】
送信元符号５０としては、国内に提供される住警器の数を予測し、例えば同一符号として重複しないように２６ビットの符号コードが使用され、例えば、住警器のシリアル番号を利用する。
【０１０２】
グループ符号５２は連動グループを構成する複数の住警器に共通に設定される符号であり、無線通信部３０で受信した他の住警器からのイベント信号に含まれるグループ符号がメモリ３２に登録しているグループ符号５２に一致したときに、このイベント信号を有効な信号として受信して処理することになるので、近隣の住宅等に設置された、連動を要しない他グループの警報器との不要な連動を回避出来る。
【０１０３】
センサ部３４には、煙を検出して信号を出力する検煙部１６を設けている。
【０１０４】
センサ部３４には検煙部１６以外に、火災による温度を検出するサーミスタ等の温度検出素子や、火災に伴うその他の物理現象変化を検出する各種素子を設けてもよい。
【０１０５】
報知部３６には警報音を出力するスピーカ５８と警報表示を行うＬＥＤ２２が設けられている。スピーカ５８は、図示しない音声合成回路部からの音声メッセージや警報音を、図示しない増幅部を介して出力する。ＬＥＤ２２は点滅や明滅、点灯などにより、火災などの異常を表示する。スピーカ５８に代えて、ブザー等を用いても良い。
【０１０６】
操作部３８には警報停止スイッチ２０が設けられている。警報停止スイッチ２０は、報知部３６からスピーカ５８により火災や障害の警報音を出力しているとき又はＬＥＤ２２により警報表示を行っているときにのみ警報停止スイッチとして機能する。例えば連動元を示す警報中に警報停止スイッチ２０を操作すると、警報音及び警報表示はそのまま継続され、一方、連動先を示す警報中に警報停止スイッチ２０を操作すると、警報音は停止し、警報表示は停止または継続するといった、後に説明するモード選択部の選択状態に応じた警報停止処理が行われる。
【０１０７】
一方、連動元または連動先を示す警報を行っていない通常監視状態で警報停止スイッチ２０は点検スイッチとして機能し、この状態で警報停止スイッチ２０を操作すると、所定の点検動作が実行されて報知部３６から点検結果を示す音声メッセージなどが出力される。
【０１０８】
なお、障害警報中に警報停止スイッチ２０が操作された場合には、所定の点検を実施して結果を報知した後に障害警報停止処理を行うようにしても良い。このようにすれば、例えばセンサ故障等を再チェックした後に障害警報停止処理が行われるので、ユーザに対し、故障状態をより明確に認知させることが出来る。そして、このとき障害状態が解消している場合には、例えば「障害は解消しました」等のメッセージを出力して、障害停止処理に移行しても良い。
【０１０９】
また、再び図９を参照するに、操作部３８にはモード選択スイッチ２１が設けられている。モード選択スイッチ２１は例えばディップスイッチその他の切り替えスイッチであり、これによりプロセッサ２８のモード選択部７０にモード選択指示を与える。モードの選択は必ずしもスイッチによる必要はなく、別に設けた設定装置との間で通信させて選択設定するなど、など適宜の手段に代えることが出来る。
【０１１０】
電池電源４０は、例えば所定セル数のリチウム電池やアルカリ乾電池を使用しており、電池容量としては住警器１０−１における無線通信部３０を含む回路部全体の低消費電力化により、例えば１０年の電池寿命を保証している。
【０１１１】
プロセッサ２８にはプログラムの実行により実現される機能として、イベント検出部６０、送信処理部６２、受信処理部６４、異常警報処理部６６、障害検出部６８、障害警報処理部７０、及び連動元停止部７４と連動先停止部７６を備えた警報停止部７２が設けられている。
【０１１２】
イベント検出部６０は、センサ部３４による異常検出、操作部３８による警報停止、センサ部３４の異常検出がなくなる異常復旧等のイベントを検出する。
【０１１３】
送信処理部６２は、イベント検出部６０によりセンサ部３４による異常検出、操作部３８による警報停止およびモード切り替え、センサ部３４の異常検出がなくなる異常復旧等の自己のイベントを検出したときに、検出イベントを示すイベント信号を、無線通信部３０から連動先の住警器に送信させる。受信処理部６４は、住警器１０−２〜１０−５からのイベント信号を、無線通信部３０を介して受信解読する。
【０１１４】
異常警報処理部６６は、イベント検出部６０で自己の異常として火災を検出したときにスピーカ５８から連動元を示す警報音を出力すると共に、ＬＥＤ２２を駆動して連動元を示す警報表示を行い、更に、火災を示すイベント信号を他の住警器に送信する。
【０１１５】
具体的に説明すると、異常警報処理部６６は、センサ部３４からの煙検出信号からイベント検出部６０で火災を検出したときに、報知部３６のスピーカ５８から連動元を示す警報音例えば「ウーウー 火災警報器が作動しました 確認してください」を繰り返し出力させると共に、ＬＥＤ２２を点灯して連動元を示す警報表示を行い、更に、火災を示すイベント信号を無線通信部３０の送信回路４２によりアンテナ３１から他の住警器１０−２〜１０−５に向けて送信させる。
【０１１６】
また異常警報処理部６６は、他の住警器１０−２〜１０−５のいずれかから火災を示すイベント信号を無線通信部３０の受信回路４４により受信し、受信処理部６４で有効となったときに、報知部３６のスピーカ５８から連動先を示す警報音例えば「ウーウー  別の火災警報器が作動しました  確認してください」となる警報音を繰り返し出力させ、同時にＬＥＤ２２を点滅して連動先を示す警報表示を行う。
【０１１７】
障害検出部６８はセンサ障害とローバッテリー障害を検出する。センサ障害の検出は、所定の測定時間間隔Ｔ１、例えばＴ１＝１秒間隔でセンサ部３４の検煙部１６から出力される煙検出信号をＡ／Ｄ変換により読み込んでメモリ３２のバッファ領域に保持し、例えば所定の時間間隔Ｔ２＝１０分毎に、メモリ３２のバッファ領域に保持している１０分間ぶんの検出データの平均値を求め、この平均値が所定の基準レベル（零点レベルという）を下回ったときに出力停止状態である等としてセンサ部１６の障害と判定する。
【０１１８】
このように煙濃度検出信号の１０分間平均値が零点レベルを下回る原因は、検煙部１６に設けている受光素子の断線、受光アンプの停止などの障害の発生したことによるものである可能性が高い。なお、センサ部１６にサーミスタなどの温度検出素子を設けた場合には、その断線により検出信号の１０分間平均値と所定の断線レベルを比較することでセンサ障害が試験結果として判定される。
【０１１９】
ローバッテリー障害の検出は、所定の測定時間間隔Ｔ３、例えばＴ３＝４時間間隔で電池電源４０の電源電圧をＡ／Ｄ変換により読み込んで所定の閾値電圧と比較し、この閾値電圧以下のときにローバッテリー障害を判定し、更にローバッテリー障害の判定結果が連続して所定回数続いたときにローバッテリー障害を確定する。
【０１２０】
障害警報処理部７０は、イベント検出部６０でセンサ障害又はローバッテリー障害を検出したときに、報知部３６のスピーカ５８からの警報音とＬＥＤ２２の第１の表示により連動元を示すセンサ障害又はローバッテリー障害警報を出力させる。また障害警報処理部７０は、センサ障害又はローバッテリー障害を示すイベント信号を他の住警器１０−２〜１０−５に送信して連動先を示すセンサ障害又はローバッテリー障害警報を警報音と表示で行わせる。
【０１２１】
更に障害情報処理部７０は、他の住警器１０−２〜１０−５からセンサ障害又はローバッテリー障害を示すイベント信号を受信したときに、報知部３６からの警報音と、ＬＥＤ２２による第1の表示と異なる第２の表示による連動先を示すセンサ障害又はローバッテリー障害警報を出力させる。
【０１２２】
障害警報処理部７０は、イベント検出部６０でセンサ障害を検出した場合、報知部３６のスピーカ５８から連動元（障害元）を示すセンサ障害の警報音としてたとえば「ピッ  故障です」を複数回連続出力し、同時にＬＥＤ２２を例えば点灯し、その後は一定時間毎に「ピッ  故障です」の音声出力とＬＥＤ２２による表示を複数回行う処理を繰り返す。
【０１２３】
また障害警報処理部７０は、センサ障害を示すイベント信号を他の住警器１０−２〜１０−５に送信することで、連動先を示すセンサ障害警報を警報音として「ピッ  別の警報器が故障です」を出力させ、同時にＬＥＤ２２により連動元とは異なる点滅表示を行わせる。
【０１２４】
また障害警報処理部７０は、イベント検出部６０でローバッテリー障害を検出した場合、報知部３６のスピーカ５８から連動元（障害元）を示すローバッテリー障害の警報音としてたとえば「ピッ  電池切れです」を複数回連続出力し、同時にＬＥＤ２２を例えば点灯し、その後は、一定時間毎に「ピッ  電池切れです」とＬＥＤ２２による表示を複数回行う処理を繰り返す。
【０１２５】
また障害警報処理部７０は、ローバッテリー障害を示すイベント信号を他の住警器１０−２〜１０−５に送信することで、連動先を示すローバッテリー障害警報を警報音として「ピッ  別の警報器が電池切れです」を出力させ、同時にＬＥＤ２２により連動元とは異なる点滅表示を行わせる。
【０１２６】
警報停止部７２はセンサ障害又はローバッテリー障害警報の出力中に操作部３８に設けた警報停止スイッチ２０の警報停止操作を検出した場合、前述した第１モード、第２モード、又は第３モードのいずれかの警報停止処理を行う。
【０１２７】
この詳細は既に説明した通りであり、第１モード停止処理については図３及び図４に示した停止処理を行い、第２モード停止処理については図５及び図６に示した停止処理を行い、第３モード停止処理については図７及び図８に示した停止処理を行う。
【０１２８】
即ち第１モード停止処理の実施形態にあっては、連動元警報停止部７４は、連動元を示す障害警報出力中に警報停止操作を検出した場合、自己の連動元を示す警報音を停止すると共に表示を継続させ、更に連動先を示す障害警報出力中の警報器に警報停止信号を送信して警報音と表示を停止させる。
【０１２９】
連動先警報停止部７６は、連動先を示す障害警報出力中に警報停止操作を検出した場合、自己の前記連動先を示す警報音と表示を停止する。
【０１３０】
また第２モード停止処理の実施形態にあっては、連動元警報停止部７４は、連動元を示す障害警報出力中に警報停止操作を検出した場合、自己の連動元を示す警報音と表示を継続させ、更に連動先を示す障害警報出力中の警報器に警報停止信号を送信して警報音と表示を停止させる。
【０１３１】
連動先警報停止部７６は、連動先を示す障害警報出力中に警報停止操作を検出した場合、自己の連動先を示す警報音と表示を停止し、更に連動元及び連動先を示す障害警報出力中の警報器に警報停止信号を送信し、連動元を示す障害警報出力中の警報器の警報音と表示を継続させ、連動先を示す障害警報出力中の警報器の警報音と表示を停止させる。
【０１３２】
さらに第３モード停止処理の実施形態にあっては、連動元警報停止部７４は、連動元を示す障害警報出力中に警報停止操作を検出した場合、自己の連動元を示す警報音を停止すると共に表示を継続させ、更に連動先を示す障害警報出力中の警報器に警報停止信号を送信して警報音と表示を停止させる。
【０１３３】
連動先警報停止部７６は、連動先を示す障害警報出力中に警報停止操作を検出した場合、自己の連動先を示す警報音と表示を停止し、更に連動元及び連動先を示す障害警報出力中の警報器に警報停止信号を送信し、連動元を示す障害警報出力中の警報器の警報音を停止させると共に表示を継続させ、連動先を示す障害警報出力中の警報器の警報音と表示を停止させる。
【０１３４】
図１０は本実施形態で使用するイベント信号のフォーマットを示した説明図である。図１０において、イベント信号４６は連番４８、送信元符号５０、グループ符号５２及びイベント符号５４で構成されている。
【０１３５】
連番４８はイベント信号の順番を示す連続番号であり、イベント信号を送信する毎に１つずつ増加させる。また、連番４８は住警器１０−１〜１０−５の各々で非同期に生成している。連番４８は警報器間の通信に於いてイベント信号の中継処理等を管理するためのものであるが、本発明に直接関係しないので詳細な説明を省略する。
【０１３６】
送信元符号５０は例えば２６ビットの符号である。グループ符号５２は例えば８ビットの符号であり、同一グループを構成する例えば図１の住警器１０−１〜１０−５につき同じグループ符号が設定されている。
【０１３７】
なおグループ符号５２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【０１３８】
イベント符号５４は、火災、ガス漏れなどのイベント内容を表す符号であり、本実施形態にあっては３ビット符号を使用しており、例えば「００１」で火災、「０１０」でガス漏れ、「０１１」で盗難、「１００」で警報停止、「１０１」で復旧、「１１０」でセンサ障害、「１１１」でローバッテリー障害としている。なおイベント符号４２のビット数は、更に４ビット、５ビットと増加させることで、更に多くのイベント内容を表すことができる。
【０１３９】
図１１は図９の住警器１０−１における基本的な処理を示したフローチャートである。図１１において、住警器１０−１の電池電源４０による電源供給が開始されると、ステップＳ１で初期化および自己診断を実行し、異常がなければステップＳ２に進んで火災監視処理を実行し、続いてステップＳ３に進んで障害監視処理を行い、これを繰り返している。
【０１４０】
図１２は図１１のステップＳ２における火災監視処理の一例を示したフローチャートであり、プロセッサ２８のプログラムの実行による処理となる。
【０１４１】
図１２において、火災監視処理は、ステップＳ１１で火災を監視しており、センサ部３４から出力された煙検出信号が所定の火災レベルを超えると火災発生を判別してステップＳ１２に進み、連番、送信元符号、グループ符号、火災を示すイベント符号を含むイベント信号を他の住警器に無線送信した後、ステップＳ１３でスピーカ５８からの警報音とＬＥＤ２２の点灯による警報表示とにより連動元を示す火災警報を出力する。
【０１４２】
続いて、ステップＳ１４でセンサ部３４からの煙検出信号が低下して火災がなくなる火災復旧の有無を判別しており、火災が継続している場合はステップＳ５で警報停止スイッチ２０による警報停止操作の有無を判別し、警報停止操作が無ければステップＳ１６で他の住警器からの警報停止を示すイベント信号受信の有無を判別する処理を繰り返している。なお、火災の継続中にあっては、所定時間毎に火災を示すイベント信号の送信を繰り返している。ステップＳ１５で警報停止操作が有った場合には、ステップＳ１８で連番、送信元符号、グループ符号、警報停止を示すイベント符号を含むイベント信号を他の住警器に送信し、ステップＳ１９へ進む。
【０１４３】
ステップＳ１４〜Ｓ１６の処理サイクル中に、センサ部３４からの煙検出信号が低下し火災がなくなるとステップＳ１４で火災復旧が判別され、ステップＳ１７で連番、送信元符号、グループ符号、火災復旧を示すイベント符号を含むイベント信号を他の住警器に送信し、ステップＳ１９に進んで連動元を示す警報音を停止し、連動元を示すＬＥＤ２２の点灯による表示は継続し、監視状態に戻る一方、ステップＳ２０で所定の遅延時間経過を判定した後にステップＳ２１に進んで連動元の表示を停止する。
【０１４４】
またステップＳ１６で他の住警器から警報停止イベント信号の受信を判別すると、ステップＳ１９に進んで連動元を示すスピーカ５８からの警報音は停止して監視状態に戻るが、ＬＥＤ２２の点灯による警報表示は継続させる。続いてステップＳ２０で警報停止操作から所定時間経過したか否か判別しており、所定時間の経過を判別すると、ステップＳ２１に進んで連動元を示すＬＥＤ２２の点灯による警報表示を停止する。
【０１４５】
なお、ステップＳ２０で所定時間経過していない期間中は、警報停止スイッチ２０による警報停止操作を検出した場合に、継続している警報表示を停止させるようにしても良い。そして、この期間中に新たに火災が検出されるかまたは他の住警器から火災を示すイベント信号を受信し有効となったときには、連動元警報表示を停止して新たに連動元または連動先としての処理を実施する。
【０１４６】
一方で、ステップＳ２０の遅延時間を未監視期間として問題とならない短い時間とするときには、この間は新たな火災発生判定を行わないか、または火災が判定されてもその後の警報処理を行わないようにすることも出来る。
【０１４７】
ステップＳ１１で火災でなかった場合には、ステップＳ２２で他の住警器からのイベント信号受信の有無を判別している。他の住警器からの火災を示すイベント信号受信を判別すると、ステップＳ２３に進んで連動先を示す火災警報としてスピーカ５８からの警報音出力とＬＥＤ２２の点滅による警報表示を行う。
【０１４８】
次にステップＳ２４で他の住警器からの火災復旧を示すイベント信号受信の有無を判別しており、火災復旧を示すイベント信号を受信すると、ステップＳ２５に進んで連動先を示すスピーカ５８からの警報音とＬＥＤ２２の点滅による警報表示を停止する。
【０１４９】
ステップＳ２４で火災復旧を示すイベント信号受信がない場合には、ステップＳ２６で他の住警器からの警報停止を示すイベント信号の受信の有無をチェックしており、警報停止を示すイベント信号の受信を判別すると、ステップＳ２８に進んで連動先を示すスピーカ５８からの警報音とＬＥＤ２２の点滅による警報表示を停止する。
【０１５０】
ステップＳ２６で警報停止を示すイベント信号受信がない場合には、ステップＳ２７で警報停止スイッチ２０による警報停止操作の有無を判別しており、警報停止操作を判別すると、ステップＳ２８に進んで連番、送信元符号、グループ符号、火災復旧を示すイベント符号を含むイベント信号を他の住警器に送信し、ステップＳ２９で連動先を示すスピーカ５８からの警報音とＬＥＤ２２の点滅による警報表示を停止する。ステップＳ２８は、ステップＳ１９〜Ｓ２１同様の処理としても良い。この場合当然、ステップＳ１９、Ｓ２１の連動元としての警報に代えて連動先としての警報が制御対象となる。
【０１５１】
図１３は図１１のステップＳ３における障害監視処理として第１モード警報停止処理を適用した場合の一例を示したフローチャートであり、プロセッサ２８のプログラムの実行による処理となる。またセンサ障害とローバッテリー障害を監視しているが、ローバッテリー障害が発生した場合を例にとって説明する。
【０１５２】
図１３において、障害監視処理は、ステップＳ３１でローバッテリー障害の発生を監視しており、ローバッテリー障害が発生したとすると、これを判別してテップＳ３２に進み、連番、送信元符号、グループ符号、ローバッテリー障害を示すイベント符号を含むイベント信号を他の住警器に無線送信した後、ステップＳ３３でスピーカ５８からの警報音とＬＥＤ２２の点灯による警報表示とにより連動元を示すローバッテリー障害警報を出力する。
【０１５３】
なお、ローバッテリー障害の継続中にあっては、所定時間毎にローバッテリー障害を示す警報出力と障害イベント信号の送信を繰り返している。ここでは火災の場合と障害の場合の表示にＬＥＤ２２を共用するようにしているが、ＬＥＤは別々に設けたり、表示色を異ならせたりすることも出来る。
【０１５４】
続いて、ステップＳ３４で誤検出などによるローバッテリー障害が解消する障害復旧の有無を判別しており、ローバッテリー障害が継続している場合はステップＳ３５で警報停止スイッチ２０による警報停止操作の有無を判別し、警報停止操作が無ければステップＳ３６で他の住警器からの警報停止のイベント信号受信の有無を判別する処理を繰り返している。
【０１５５】
ステップＳ３４〜Ｓ３６の処理サイクル中に、ローバッテリー障害が解消するとステップＳ３４で障害復旧が判別され、ステップＳ３７で連番、送信元符号、グループ符号、復旧を示すイベント符号を含むイベント信号を他の住警器に送信し、ステップＳ３９に進んで連動元警報音出力を停止し、表示は継続してステップＳ４０へ進む。ステップＳ４０で所定時間の経過が判別されたら、表示を停止して通常の監視状態に戻る。
【０１５６】
なお、ステップＳ４０の所定時間経過の判別に代え、警報停止スイッチ２０による警報停止操作の有無を判別し、警報停止操作を検出した場合に、継続している警報表示を停止させても良い。また、障害復旧の場合は、ステップＳ３７の後、連動元警報音と警報表示を停止して通常の監視状態へ戻るようにしても良い。
【０１５７】
またステップＳ３６で他の住警器（連動先）から警報停止イベント信号の受信を判別すると、ステップＳ３９に進み、所定時間毎のローバッテリー警報の出力時に、連動元を示すスピーカ５８からの警報音は停止するが、ＬＥＤ２２の点灯による警報表示は継続させる。しかし、第１モード警報停止処理にあっては、図４に示したように、連動先で警報停止操作を行っても、警報停止を示すイベント信号は送信されず、このためステップＳ３６からＳ３９に進む処理は実行されない。
【０１５８】
一方、ステップＳ３１で障害でなかった場合には、ステップＳ４２で他の住警器からのイベント信号受信の有無を判別している。他の住警器からのローバッテリー障害を示すイベント信号受信を判別すると、ステップＳ４３に進んで連動先を示す障害警報としてスピーカ５８からの警報音を出力し、ＬＥＤ２２の点滅による警報表示を行う。
【０１５９】
なお、他の住警器からのローバッテリー障害を示すイベント信号は、連動元の住警器が所定時間毎に障害警報を出力する際に送信され、このため連動先においても、所定時間毎に障害を示すイベント信号が受信されて連動先を示す障害警報が出力されている。
【０１６０】
次にステップＳ４４で他の住警器からの障害復旧を示すイベント信号受信の有無を判別しており、障害復旧を示すイベント信号を受信すると、ステップＳ４５に進み、ローバッテリー障害を示すイベント信号の受信毎に行う連動先を示すスピーカ５８からの警報音とＬＥＤ２２の点滅による警報表示を停止する。
【０１６１】
ステップＳ４４で障害復旧を示すイベント信号受信がない場合には、ステップＳ４６で連動元の住警器からの警報停止を示すイベント信号受信の有無をチェックしている。ここで、第１モード停止処理にあっては、連動先の停止操作では警報停止のイベント信号は送信されず、連動元の停止操作のみで警報停止りイベント信号が送信されることから、ステップＳ４６では送信元からの警報停止を示すイベント信号のみを判別している。なお、連動元からの信号か否かは、イベント信号に含まれる送信元符号から判別出来る。またイベント符号に連動元か否かを示す符号を別途付加するようにしても良い。
【０１６２】
ステップＳ４６で連動元からの警報停止を示すイベント信号の受信を判別すると、ステップＳ４８に進み、ローバッテリー障害を示すイベント信号の受信毎に行う連動先を示すスピーカ５８からの警報音とＬＥＤ２２の点滅による警報表示を停止する。
【０１６３】
ステップＳ４６で連動元からの警報停止を示すイベント信号受信がない場合には、ステップＳ４７で警報停止スイッチ２０による警報停止操作の有無を判別しており、警報停止操作を判別すると、ステップＳ４８に進み、ローバッテリー障害を示すイベント信号の受信毎に行う連動先を示すスピーカ５８からの警報音とＬＥＤ２２の点滅による警報表示を停止する。
【０１６４】
ここではステップＳ４８で連動先を示す警報音と警報表示を共に停止する例を示したが、ステップＳ３９からＳ４１と同様に、表示は継続させて所定時間の経過後に警報表示を停止するようにしても良い。若しくは、警報表示は連動元からの警報停止または復旧のイベント信号を受信するまで停止しないようにしても良い。
【０１６５】
図１４は図１１のステップＳ３における障害監視処理として第２モード警報停止処理を適用した場合の一例を示したフローチャートであり、プロセッサ２８のプログラムの実行による処理となる。またセンサ障害とローバッテリー障害を監視しているが、ローバッテリー障害が発生した場合を例にとって説明する。
【０１６６】
図１４において、障害監視処理は、ステップＳ５１で障害発生を監視しており、ローバッテリー障害の発生を判別するとステップＳ５２に進み、連番、送信元符号、グループ符号、ローバッテリー障害を示すイベント符号を含むイベント信号を他の住警器に無線送信した後、ステップＳ５３でスピーカ５８からの警報音とＬＥＤ２２の点灯による警報表示とにより連動元を示すローバッテリー障害警報を出力する。
【０１６７】
なお、ローバッテリー障害の継続中にあっては、所定時間毎にローバッテリー障害を示す警報出力と障害イベント信号の送信を繰り返している。
【０１６８】
続いて、ステップＳ５４で誤動作などに起因したローバッテリー障害が解消する障害復旧の有無を判別しており、ローバッテリー障害が継続している場合はステップＳ５５で警報停止スイッチ２０による警報停止操作の有無を判別し、警報停止操作が無ければステップＳ５６で他の住警器からの警報停止のイベント信号受信の有無を判別する処理を繰り返している。
【０１６９】
ステップＳ５４〜Ｓ５６の処理サイクル中に、ローバッテリー障害が解消するとステップＳ５４で障害復旧が判別され、ステップＳ５７で連番、送信元符号、グループ符号、復旧を示すイベント符号を含むイベント信号を他の住警器に送信し、ステップＳ６１に進んで連動元を示す警報音と警報表示を停止して通常の監視状態に戻る。
【０１７０】
またステップＳ５５で警報停止スイッチ２０による自己（連動元）の警報停止操作を判別するとステップＳ５８に進んで連番、送信元符号、グループ符号、警報停止を示すイベント符号を含むイベント信号を他の住警器（連動先）に送信し、ステップＳ５９に進んで連動元を示すスピーカ５８からの警報音とＬＥＤ２２の点灯による警報表示を継続する。
【０１７１】
またステップＳ５６で他の住警器（連動先）から警報停止イベント信号の受信を判別すると、ステップＳ５９に進んで連動元を示すスピーカ５８からの警報音とＬＥＤ２２の点灯による警報表示を継続する。
【０１７２】
ステップＳ５９で自己（連動元）の警報停止操作または他の住警器（連動先）からの警報停止を示すイベント信号受信で継続している連動元を示す警報音と警報表示は、この実施形態にあっては、ステップＳ６０で所定時間の経過を判別したときにステップＳ６１に進んで、継続している連動元を示す警報音と警報表示を停止する。
【０１７３】
なお、ステップＳ６０で警報停止操作または警報停止を示すイベント信号受信から所定時間経過を判別している間に、再度警報停止スイッチ２０による警報停止操作を検出した場合には、連動元を示す警報音と警報表示を停止しても良い。
【０１７４】
一方、ステップＳ６１で障害発生でなかった場合には、ステップＳ６２で他の住警器からのイベント信号受信の有無を判別している。他の住警器からローバッテリー障害を示すイベント信号受信を判別すると、ステップＳ６３に進み、ローバッテリー障害を示すイベント信号の受信毎に行う連動先を示す障害警報としてスピーカ５８からの警報音出力とＬＥＤ２２の点滅による警報表示を行う。
【０１７５】
次にステップＳ６４で他の住警器からの障害復旧を示すイベント信号受信の有無を判別しており、障害復旧を示すイベント信号を受信すると、ステップＳ６５に進んで連動先の警報として行っているスピーカ５８からの警報音とＬＥＤ２２の点滅による警報表示を停止する。
【０１７６】
ステップＳ６４で障害復旧を示すイベント信号受信がない場合には、ステップＳ６６で他の住警器からの警報停止を示すイベント信号受信の有無をチェックしており、警報停止を示すイベント信号の受信を判別すると、ステップＳ６９に進み、ローバッテリー障害を示すイベント信号の受信毎に行う連動先としてのスピーカ５８からの警報音を停止し、ＬＥＤ２２の点滅による警報表示についても停止する。
【０１７７】
ステップＳ６６で警報停止を示すイベント信号受信がない場合には、ステップＳ６７で警報停止スイッチ２０による警報停止操作の有無を判別しており、自己の警報停止操作を判別すると、ステップＳ６８で連番、送信元符号、グループ符号、警報停止を示すイベント符号を含むイベント信号を他の住警器に送信した後、ステップＳ６９に進み、ローバッテリー障害を示すイベント信号の受信毎に行う連動先を示すスピーカ５８からの警報音を停止し、ＬＥＤ２２の点滅による警報表示を停止する。
【０１７８】
図１５は図１１のステップＳ３における障害監視処理として第３モード警報停止処理を適用した場合の一例を示したフローチャートであり、プロセッサ２８のプログラムの実行による処理となる。またセンサ障害とローバッテリー障害を監視しているが、ローバッテリー障害が発生した場合を例にとって説明する。
【０１７９】
図１５において、障害監視処理は、ステップＳ７１で障害発生を監視しており、例えばローバッテリー障害の発生を判別するとステップＳ７２に進み、連番、送信元符号、グループ符号、ローバッテリー障害を示すイベント符号を含むイベント信号を他の住警器に無線送信した後、ステップＳ７３でスピーカ５８からの警報音とＬＥＤ２２の点灯による警報表示とにより連動元を示すローバッテリー障害警報を出力する。
【０１８０】
なお、ローバッテリー障害の継続中にあっては、所定時間毎にローバッテリー障害を示す警報出力と障害イベント信号の送信を繰り返している。
【０１８１】
続いて、ステップＳ７４でローバッテリー障害の復旧の有無を判別しており、ローバッテリー障害が継続している場合はステップＳ７５で警報停止スイッチ２０による警報停止操作の有無を判別し、警報停止操作が無ければステップＳ７６で他の住警器からの警報停止のイベント信号の受信の有無を判別する処理を繰り返している。なお、火災の継続中にあっては、所定時間毎に火災を示すイベント信号の送信を繰り返している。
【０１８２】
ステップＳ７４〜Ｓ７６の処理サイクル中に、ローバッテリー障害が解消したとすると、ステップＳ７４で障害復旧が判別され、ステップＳ７７で連番、送信元符号、グループ符号、障害復旧を示すイベント符号を含むイベント信号を他の住警器に送信し、ステップＳ７９に進んで連動元を示す警報音を停止し、警報表示は継続させる。なお、ステップＳ７９で連動元の警報音を停止して警報表示を継続させる代わりに、ステップ８１に進んで連動元の警報音と警報表示を停止して通常の監視状態に戻るようにしても良い。
【０１８３】
またステップＳ７５で警報停止スイッチ２０による自己（連動元）の警報停止操作を判別するとステップＳ７８に進んで連番、送信元符号、グループ符号、警報停止を示すイベント符号を含むイベント信号を他の住警器（連動先）に送信し、ステップＳ７９に進んで連動元を示すスピーカ５８からの警報音を停止し、ＬＥＤ２２の点灯による警報表示を継続する。
【０１８４】
またステップＳ７６で他の住警器（連動先）からの警報停止イベント信号の受信を判別すると、ステップＳ７９に進んで連動元を示すスピーカ５８からの警報音を停止し、ＬＥＤ２２の点灯による警報表示を継続する。
【０１８５】
ステップＳ７９で自己の警報停止操作または他の住警器からの警報停止を示すイベント信号受信で継続している連動元を示す警報表示は、この実施形態にあっては、ステップＳ８０で所定時間の経過を判別したときにステップＳ８１に進んで停止する。
【０１８６】
なお、ステップＳ８０のタイマ設定による所定時間経過の代わりに、警報停止スイッチ２０による警報停止操作を再度検出した場合に、連動元を示す警報表示を停止しても良い。
【０１８７】
一方、ステップＳ７１で障害発生でなかった場合には、ステップＳ８２で他の住警器からのイベント信号受信の有無を判別している。他の住警器からのローバッテリー障害を示すイベント信号受信を判別すると、ステップＳ８３に進んで連動先を示すローバッテリー障害警報としてスピーカ５８からの警報音とＬＥＤ２２の点滅による警報表示を行う。
【０１８８】
次にステップＳ８４で他の住警器からの障害復旧を示すイベント信号受信の有無を判別しており、障害復旧を示すイベント信号を受信すると、ステップＳ８５に進み、ローバッテリー障害を示すイベント信号の受信毎に行う連動先を示すスピーカ５８からの警報音とＬＥＤ２２の点滅による警報表示を停止する。
【０１８９】
ステップＳ８４で障害復旧を示すイベント信号受信がない場合には、ステップＳ８６で他の住警器からの警報停止を示すイベント信号受信の有無をチェックしており、警報停止を示すイベント信号の受信を判別すると、ステップＳ８８に進み、ローバッテリー障害を示すイベント信号の受信毎に行う連動先を示すスピーカ５８からの警報音とＬＥＤ２２の点滅による警報表示を停止する。
【０１９０】
ステップＳ８６で警報停止を示すイベント信号受信がない場合には、ステップＳ８７で警報停止スイッチ２０による警報停止操作の有無を判別しており、警報停止操作を判別するとステップＳ８８で連番、送信元符号、グループ符号、警報停止を示すイベント符号を含むイベント信号を他の住警器に送信した後、ステップＳ８９に進み、ローバッテリー障害を示すイベント信号の受信毎に行う連動先を示すスピーカ５８からの警報音とＬＥＤ２２の点滅による警報表示を停止する。
【０１９１】
図１６は連動元の表示色と連動先の表示色を異ならせた本発明による無線式の住警器の他の実施形態を示した説明図である。
【０１９２】
図１６において、住警器１０はカバー１２とその背後の本体で構成され、カバー１２の中央には、周囲に煙流入口を開口し、その内部には検煙部１６が配置され、検煙部１６の左下側には音響穴１８が設けられ、検煙部１６の下側には警報停止スイッチ２０が設けられている。
【０１９３】
警報停止スイッチ２０は、半透明部材で形成されたスイッチカバーの内部にタクトスイッチ（図示せず）を配置しており、スイッチカバー内部のタクトスイッチ近傍には、点線で示すように、連動元の警報表示を行う赤色ＬＥＤ２２ａと、連動先の警報表示を行う黄色ＬＥＤ２２ｂが配置されており、赤色ＬＥＤ２２ａまたは黄色ＬＥＤ２２ｂが点灯すると、警報停止スイッチ２０のスイッチカバーの部分を透過して点灯状態が外部から分かるようにしている。それ以外の構成は図１の実施形態と同じである。
【０１９４】
また図１６の住警器の回路構成も基本的に図９のブロック図と同じであり、報知部３６に図１６に示したように連動元の警報表示を行う赤色ＬＥＤ２２ａと黄色ＬＥＤ２２ｂを設けた点で相違している。本実施形態では、赤色ＬＥＤ２２ａと黄色ＬＥＤ２２ｂを別々に設けた場合を示しているが、赤色ＬＥＤと黄色ＬＥＤを一体に備えた２色ＬＥＤを使用しても良い。
【０１９５】
図１６の実施形態に示した住警器の警報停止処理には、図１と同様、第１モード停止処理、第２モード停止処理、及び第３モード停止処理がある。各モード停止処理は、連動元で停止操作を行うか、連動先で停止操作を行うかで停止処理の内容が異なっている。
【０１９６】
図１７は図１６の実施形態を対象に第１モード警報停止処理における障害警報に対し連動元で停止操作を行った前後の警報制御を示している。図１７（Ａ）は警報停止前であり、連動関係にある住警器１０−１〜１０−５の中の住警器１０−１が例えばローバッテリー障害を検出し、住警器１０−１が警報音「電池切れです」と赤色ＬＥＤ２２ａのたとえば点灯（第１の表示）による警報表示により連動元を示す障害警報を行い、残りの住警器１０−２〜１０−５が警報音「他の警報器が電池切れです」と黄色ＬＥＤ２２ｂの例えば点灯（第２の表示）による警報表示により連動先を示す障害警報を行っている。
【０１９７】
なお赤色ＬＥＤ２２ａによる警報表示により連動元を示す火災警報と、黄色ＬＥＤ２２ｂによる警報表示により連動先を示す火災警報は、点灯以外に点滅又は明滅としても良い。
【０１９８】
この障害警報の連動状態で、矢印Ａで示すように、連動元の住警器１０−１に設けている警報停止スイッチ２０を操作すると、図１７（Ｂ）に示すように、警報停止操作を行った連動元の住警器１０−１は連動元を示す警報音は停止するが、連動元を示す赤色ＬＥＤ２２ａの点灯（第１の表示）による警報表示は少なくとも所定期間継続するようにしている。
【０１９９】
また連動元の住警器１０−１は警報停止操作に伴い警報停止を示すイベント信号を連動先の住警器１０−２〜１０−５に送信する。このため連動先の住警器１０−２〜１０−５は連動先を示す障害の警報音と黄色ＬＥＤ２２ｂの点灯による警報表示は停止する。
【０２００】
これによって障害の連動警報が行われた場合、連動先の住警器１０−２〜１０−５の設置場所に出向いて警報停止操作を行わなくとも、連動元の住警器１０−１の警報停止操作で連動先の警報を停止することができ、停止操作が簡単且つ容易にできる。
【０２０１】
また、連動元の住警器１０−１における警報停止操作で警報音が全て停止しても、連動元の警報器１０−１における赤色ＬＥＤ２２ａのたとえば点灯による警報表示は少なくとも所定期間継続され、ローバッテリー障害を起こしている住警器の特定が簡単且つ確実にできる。
【０２０２】
警報停止後に継続している連動元の住警器１０−１の赤色ＬＥＤ２２ａによる警報表示は、タイマ設定で決まる所定時間経過後に停止させるか、または、再度、連動元の住警器１０−１で警報停止操作を行ったときに停止する。
【０２０３】
図１８は図１６の実施形態を対象に第１モード警報停止処理における障害警報に対し連動先で停止操作を行った前後の警報制御を示している。図１８（Ａ）は警報停止前であり、住警器１０−１が例えばローバッテリー障害を検出して警報音「電池切れです」と赤色ＬＥＤ２２ａのたとえば点灯（第１の表示）による警報表示により連動元を示す障害警報を行い、残りの住警器１０−２〜１０−５が警報音「他の警報器が電池切れです」と黄色ＬＥＤ２２ａの例えば点灯（第２の表示）による警報表示により連動先を示す障害警報を行っている。
【０２０４】
この障害警報の連動状態で、矢印Ｂで示すように、連動先の住警器１０−２に設けている警報停止スイッチ２０を操作すると、図１８（Ｂ）に示すように、警報停止操作を行った連動先の住警器１０−２は連動先を示す警報音と黄色ＬＥＤ２２ｂの表示は停止するが、他の住警器１０−１，１０−３〜１０−５に対する警報停止のイベント信号は送信しないため、警報音と表示をそのまま継続している。
【０２０５】
このように第１モードでは、連動先での障害警報の停止操作は、停止操作を行った住警器のみの警報音と表示を停止するだけとなる。
【０２０６】
図１９は図１６の実施形態を対象に第２モード警報停止処理における障害警報に対し連動元で停止操作を行った前後の警報制御を示している。図１９（Ａ）は警報停止前であり、連動関係にある住警器１０−１〜１０−５の中の住警器１０−１が例えばローバッテリー障害を検出し、住警器１０−１が警報音「電池切れです」と赤色ＬＥＤ２２ちのたとえば点灯（第１の表示）による警報表示により連動元を示す障害警報を行い、残りの住警器１０−２〜１０−５が警報音「他の警報器が電池切れです」と黄色ＬＥＤ２２この例えば点灯（第２の表示）による警報表示により連動先を示す障害警報を行っている。
【０２０７】
この障害警報の連動状態で、矢印Ａで示すように、連動元の住警器１０−１に設けている警報停止スイッチ２０を操作すると、図１９（Ｂ）に示すように、警報停止操作を行った連動元の住警器１０−１は連動元を示す警報音は停止するが、連動元を示す赤色ＬＥＤ２２ａの点灯（第１の表示）による警報表示は少なくとも所定期間継続するようにしている。
【０２０８】
また連動元の住警器１０−１は警報停止操作に伴い警報停止を示すイベント信号を連動先の住警器１０−２〜１０−５に送信する。このため連動先の住警器１０−２〜１０−５は連動先を示す障害の警報音と黄色ＬＥＤ２２ａの点灯による警報表示は停止する。
【０２０９】
図２０は図１６の実施形態を対象に第２モード警報停止処理における障害警報に対し連動先で停止操作を行った前後の警報制御を示している。図２０（Ａ）は警報停止前であり、住警器１０−１が例えばローバッテリー障害を検出して警報音「電池切れです」と赤色ＬＥＤ２２ａのたとえば点灯（第１の表示）による警報表示により連動元を示す障害警報を行い、残りの住警器１０−２〜１０−５が警報音「他の警報器が電池切れです」と黄色ＬＥＤ２２ｂの例えば点灯（第２の表示）による警報表示により連動先を示す障害警報を行っている。
【０２１０】
この障害警報の連動状態で、矢印Ｂで示すように、連動先の住警器１０−２に設けている警報停止スイッチ２０を操作すると、図２０（Ｂ）に示すように、警報停止操作を行った連動先の住警器１０−２は連動先を示す警報音と黄色ＬＥＤ２２ｂの点灯による表示は停止し、他の住警器１０−１，１０−３〜１０−５に対し警報停止のイベント信号を送信する。このため連動先の住警器１０−３〜１０−５は警報音と表示を停止するが、連動元の住警器１０−１は警報音と連動元を示す赤色ＬＥＤ２２ａの点灯（第１の表示）による警報表示は少なくとも所定期間継続する。
【０２１１】
これによって連動警報が行われた場合、住警器１０−１〜１０−５の設置場所に出向いて警報停止操作を行わなくとも、住警器１０−１〜１０−５の内の任意の住警器の警報停止操作により、連動元の警報音と赤色ＬＥＤ２２ａによる警報表示は停止せず、連動先の警報音と黄色ＬＥＤ２２ｂによる警報表示を全て停止することができ、停止操作が簡単且つ容易にできる。
【０２１２】
また、任意の住警器で警報停止操作を行っても、連動元の警報器１０−１における警報音と赤色ＬＥＤ２２ａのたとえば点灯による警報表示は継続され、連動元から離れた場所に設置されている連動先警報器でも、依然として連動元が障害警報中である旨を知ることが出来、障害を起こしている住警器の特定を簡単に特定して電池交換や住警器そのものの交換などの対応をとることができる。
【０２１３】
警報停止後に継続している連動元の住警器１０−１の赤色ＬＥＤ２２ａによる警報表示は、タイマ設定で決まる所定時間経過、又は警報停止操作を行ったときに停止する。
【０２１４】
この場合、連動元の警報音が継続している間は、連動先の黄色ＬＥＤ２２地の点灯による表示は停止しないようにすることも出来る。
【０２１５】
図２１は図１６の実施形態を対象に第３モード警報停止処理における障害警報に対し連動元で停止操作を行った前後の警報制御を示している。図２１（Ａ）は警報停止前であり、住警器１０−１が例えばローバッテリー障害を検出して警報音「電池切れです」と赤色ＬＥＤ２２ａのたとえば点灯（第１の表示）による警報表示により連動元を示す障害警報を行い、残りの住警器１０−２〜１０−５が警報音「他の警報器が電池切れです」と黄色ＬＥＤ２２ｂの例えば点灯（第２の表示）による警報表示により連動先を示す障害警報を行っている。
【０２１６】
この障害警報の連動状態で、矢印Ａで示すように、連動元の住警器１０−１に設けている警報停止スイッチ２０を操作すると、図２１（Ｂ）に示すように、警報停止操作を行った連動元の住警器１０−１は連動元を示す警報音は停止するが、連動元を示す赤色ＬＥＤ２２ａの点灯（第１の表示）による警報表示は少なくとも所定期間継続するようにしている。
【０２１７】
また連動元の住警器１０−１は警報停止操作に伴い警報停止を示すイベント信号を連動先の住警器１０−２〜１０−５に送信する。このため連動先の住警器１０−２〜１０−５は連動先を示す障害の警報音と黄色ＬＥＤ２２ｂの点灯による警報表示を停止する。
【０２１８】
図２２は図１６の実施形態を対象に第３モード警報停止処理における障害警報に対し連動先で停止操作を行った前後の警報制御を示している。図２２（Ａ）は警報停止前であり、住警器１０−１が例えばローバッテリー障害を検出して警報音「電池切れです」と赤色ＬＥＤ２２ａのたとえば点灯（第１の表示）による警報表示により連動元を示す障害警報を行い、残りの住警器１０−２〜１０−５が警報音「他の警報器が電池切れです」と黄色ＬＥＤ２２ｂの例えば点灯（第２の表示）による警報表示により連動先を示す障害警報を行っている。
【０２１９】
この障害警報の連動状態で、矢印Ｂで示すように、連動先の住警器１０−２に設けている警報停止スイッチ２０を操作すると、図２２（Ｂ）に示すように、警報停止操作を行った連動先の住警器１０−２は連動先を示す警報音と黄色ＬＥＤ２２ｂの表示は停止し、他の住警器１０−１，１０−３〜１０−５に対し警報停止のイベント信号を送信する。このため連動先の住警器１０−３〜１０−５は警報音と黄色ＬＥＤ２２ｂの表示を停止する。また連動元の住警器１０−１は警報音を停止し、連動元を示す赤色ＬＥＤ２２ａの点灯（第１の表示）による警報表示は少なくとも所定期間継続する。
【０２２０】
このように第３モード停止処理では、連動警報が行われた場合、住警器１０−１〜１０−５それぞれの設置場所に出向いて警報停止操作を行わなくとも、住警器１０−１〜１０−５の内の任意の住警器の警報停止操作で連動元と連動先の警報音を停止し、連動元の赤色ＬＥＤ２２ａによる警報表示はそのままで、連動先の黄色ＬＥＤ２２ｂによる警報表示を全て停止することができ、停止操作が簡単且つ容易にできる。
【０２２１】
また、任意の住警器警報停止操作を行っても、連動元の警報器１０−１における赤色ＬＥＤ２２ａのたとえば点灯による警報表示は継続され、障害を起こしている住警器の特定を簡単に特定して電池交換や住警器そのものの交換などの対応をとることができる。
【０２２２】
警報停止後に継続している連動元の住警器１０−１の赤色ＬＥＤ２２ａによる警報表示は、タイマ設定で決まる所定時間経過、又は警報停止操作を検出したときに停止する。
【０２２３】
第１モード、第２モード、第３モードの警報停止処理は、連動元として警報中の警報停止処理は、少なくとも表示を継続させる点で基本的に同じであるが、連動先として警報中の警報停止処理が異なる。
【０２２４】
即ち第１モードでは、連動先としての警報中に自己の警報停止操作があったら警報音を停止して赤色ＬＥＤ２２ａの表示は継続または所定期間継続または復旧を示すイベント信号を受信するまで継続する。そして、他の警報器に対して警報停止を示すイベント信号を送信しない。
【０２２５】
これに対して第２モードでは、連動先としての警報中に自己の警報停止操作があったら警報音を停止して黄色ＬＥＤ２２ｂによる表示は継続または所定期間継続または復旧を示すイベント信号を受信するまで継続する。そして、他の警報器に対して警報停止を示すイベント信号を送信する。
【０２２６】
そして第３モードでは、連動先としての警報中に自己の警報停止操作があったら警報音と警報表示を停止して、他の警報器に対して警報停止を示すイベント信号を送信する。
【０２２７】
なお、第１〜第３モードの何れに於いても、連動元の障害状態が解消して障害復旧した場合には、警報停止操作後に継続させている各住警器の警報音や警報表示を停止するようにしても良い。
【０２２８】
なお上記の実施形態は障害警報の停止処理として第１モード、第２モード又は第３モードを個別に設けた場合を例にとっているが、第１モード、第２モード又は第３モードの処理を設け、いずれか１つのモードをコマンド又はディップスイッチなど、何らかの選択手段により選択して動作させるようにしてもよい。
【０２２９】
また上記の実施形態は火災を検出して警報する住警器を例にとるものであったが、ガス漏れ警報器、ＣＯ警報器、各種の防犯用警報器を配置した警報システムについても同様に適用できる。
【０２３０】
また上記の実施形態におけるフローチャートは処理の概略例を説明したもので、処理の順番等はこれに限定されない。また各処理や処理と処理の間に必要に応じて遅延時間を設けたり、他の判定を挿入する等が出来る。
【０２３１】
また上記の実施形態で述べた「受信がある」、「受信が無い」、「受信した場合」、「受信を判別」等は、受信した信号が有効なものとして認識されたか否かの判定も含んでいる。
【０２３２】
また、警報器の規格等によっては、上記実施形態のＬＥＤによる表示が「警報」と認められない場合があるが、本発明では規格上「警報」に含まれるか否かに関わらず、警報表示、警報に伴う表示、または単に表示として記載している。本発明の目的を達成できるものであれば、どのような表示手段を用いても構わない。そして、表示部は警報器と別体に設けられていても良い。
【０２３３】
また、上記の実施形態では、電池電源によって動作する住警器を例に取ったが、電池電源以外の電源で動作するものにも本発明を適用できる。
【０２３４】
また、上記の実施形態では、センサ障害とローバッテリー障害を例に取ったが、その他の障害についても同様に実施できる。
【０２３５】
また上記の実施形態では、連動元を赤色表示とし、連動先を黄色表示としているが、任意の異なる表示色により連動元と連動先を表示しても良い。またＬＥＤ２２ａ、２２ｂは多色ＬＥＤで共用としても良い。
【０２３６】
また、火災等の異常を示す警報表示と、障害を示す表示の色を異ならせるようにしても良い。このようにすれば、警報中でなく障害報知（障害警報）中であることが、表示のうえでも識別出来る。
【０２３７】
さらに、障害報知中についても連動元と連動先の表示色を異ならせることが出来る。このようにすれば、警報中か障害報知中か、そして連動元か連動先かを表示のうえで詳細に識別することが出来る。
【０２３８】
また、例えば警報表示は点灯、障害報知中の表示は警報表示とは異なる色の点滅とするなど、ＬＥＤ（他の表示デバイスでも良い）の駆動周期やパターンの違いを組み合わせても、詳細な識別が出来るようにすることが出来る。
【０２３９】
この他、少なくとも連動元と連動先が、また加えて警報と障害が表示のうえで識別できれば、どのような表示方法を組み合わせても良い。
【０２４０】
また、上記の実施形態は住宅用に限らずビルやオフィス用など各種用途の警報器にも適用できる。
【０２４１】
また、上記の実施形態は警報器にセンサ部と警報出力処理部を一体に設けた場合を例にとるが、他の実施形態として、センサ部と警報出力処理部を別体とした警報器であっても良い。
【０２４２】
また本発明は上記の実施形態に限定されず、その目的と利点を損なうことのない適宜の変形を含み、更に上記の実施形態に示した数値による限定は受けない。
【符号の説明】
【０２４３】
１０，１０−１〜１０−５：住警器
１２：カバー
１４：本体
１５：取付フック
１６：検煙部
１８：音響孔
２０：警報停止スイッチ
２１：モード選択スイッチ
２２：ＬＥＤ
２２ａ：赤色ＬＥＤ
２２ｂ：黄色ＬＥＤ
２４：住宅
２６：ガレージ
２８：ＣＰＵ
３１：アンテナ
３０：無線通信部
３２：メモリ
３４：センサ部
３６：報知部
３８：操作部
４０：電池電源
４２：送信回路
４４：受信回路
４６：イベント信号
４８：連番
５０：送信元符号
５２：グループ符号
５４：イベント符号
５８：スピーカ
６０：イベント検出部
６２：送信処理部
６４：受信処理部
６６：異常警報処理部
６８：障害検出部
７０：障害警報処理部
７２：警報停止部
７４：連動元警報停止部
７６：連動先警報停止部
【図１】
0005497377.tif 000002
【図２】
0005497377.tif 000003
【図３】
0005497377.tif 000004
【図４】
0005497377.tif 000005
【図５】
0005497377.tif 000006
【図６】
0005497377.tif 000007
【図７】
0005497377.tif 000008
【図８】
0005497377.tif 000009
【図９】
0005497377.tif 000010
【図１０】
0005497377.tif 000011
【図１１】
0005497377.tif 000012
【図１２】
0005497377.tif 000013
【図１３】
0005497377.tif 000014
【図１４】
0005497377.tif 000015
【図１５】
0005497377.tif 000016
【図１６】
0005497377.tif 000017
【図１７】
0005497377.tif 000018
【図１８】
0005497377.tif 000019
【図１９】
0005497377.tif 000020
【図２０】
0005497377.tif 000021
【図２１】
0005497377.tif 000022
【図２２】
0005497377.tif 000023